(57)【要約】リストバンド、ブレスレット、パッチ、ヘッドバンド、ネックバンド、アンクルバンド、レッグバンド、カード、ステッカーあるいは他の着用可能な器具のような増強された識別器具は、バイオメトリックセンサー、化学センサー、光センサー、熱センサー、圧力センサー、湿度センサー、電磁気のセンサー、音響センサー、様々なオプト・エレクトロニクスおよび(または)開放済かがすぐ分かる開放防止機能のような様々なセキュリティ機能を有することができる。センサーは、指紋、網膜、虹彩、血液、DNA、遺伝データ、音声パターン、温度および他の特性のような着用者に関する情報を得ることができる。セキュリティ機能は、識別器具上に留め具を含んでおり、器具が着用者に付けられたか否かを示し、付けられたならば、回路機能を作動する。もし、誰かが器具を不正に開放した場合、回路機能の停止され、或るデータが消され、および（または）不正開放の証拠が明らかに成る。器具は位置をモニターすることができ、あるいは飛行機、列車、ボート、バスあるいは他の乗り物の乗客の同一性を決定することができる。代替的に、識別バンドは人の移民資格を含むことができる。
2005521162.tif 000002
【特許請求の範囲】
【請求項１】
人に関する情報を提供するように適応された識別器具であり、この識別器具が、
人によって着用されるかあるいは人に付けられるように適応された構造、
前記構造内あるいは前記構造上に配置された留め具であって、人に前記構造を付けるように適応されている留め具、および
前記構造内あるいは前記構造上に配置されていて、前記留め具に電気的に接続される回路から成り、前記留め具が閉じられると前記回路の機能が作動する識別器具。
【請求項２】
前記回路の機能が、人に関する情報を前記識別器具外部に通信することを含んでいる請求項1記載の識別器具。
【請求項３】
前記回路の機能が、回路への電源を含んでいる請求項1記載の識別器具。
【請求項４】
前記回路の機能が、アンテナ使用可能要素を含んでいる請求項1記載の識別器具。
【請求項５】
前記回路の機能が、アンテナのチューニングを含んでいる請求項1記載の識別器具。
【請求項６】
前記回路の機能が、回路へ入力する論理状態を変更することを含んでいる請求項1記載の識別器具。
【請求項７】
前記構造が、伸張しかつ柔軟である請求項1記載の識別器具。
【請求項８】
前記回路が、外部装置に無線周波数通信によって情報を送信するように適応された無線周波数識別回路を含んでいる請求項1記載の識別器具。
【請求項９】
前記留め具が、第１の接触部および第２の接触部を含み、前記回路が、第１の接触部と第2の接触部が互いに通信状態にあるかどうか決める請求項1記載の識別器具。
【請求項１０】
前記留め具が閉まっている時に、前記回路に前記留め具を接続する電気的な導電体をさらに含む請求項1記載の識別器具。
【請求項１１】
前記導電体と通信する閉鎖部をさらに含む請求項10記載の識別器具。
【請求項１２】
閉鎖部が閉じられた後、前記制御回路は、閉鎖部が開かれたか、不正開放されたかを決定するように適応されている請求項11記載の識別器具。
【請求項１３】
前記第１の接触部および前記第2の接触部が第１の導電体および第2の導電体を含み、前記留め具の閉鎖部は、第１の導電体と第2の導電体とを接続して、少なくとも1つの電気回路を作動する、請求項9記載の識別器具。
【請求項１４】
前記第１の接触部および前記第2の接触部が、第１の導電体および第2の導電体を含み、前記留め具が閉鎖すると、第１の導電体と第2の導電体の間の容量が変更して、電気回路を作動する、請求項9記載の識別器具。
【請求項１５】
前記情報がバイオメトリックデータを含んでいる請求項1記載の識別器具。
【請求項１６】
前記バイオメトリックデータが、人の網膜、指紋、虹彩、音声あるいは遺伝特性を含んでいる、請求項14記載の識別器具。
【請求項１７】
前記情報が人の特徴のイメージを含んでいる、請求項1記載の識別器具。
【請求項１８】
前記情報が光学文字認識可能データを含んでいる、請求項1記載の識別器具。
【請求項１９】
前記識別器具が、リストバンド、ヘッドバンド、アームバンド、アンクルバンド、ネックバンドあるいはレッグバンドである、請求項1記載の識別器具。
【請求項２０】
前記識別器具がパッチまたはカードである、請求項1記載の識別器具。
【請求項２１】
前記回路の少なくとも1つの回路部品が少なくとも1つの有機物質から本質的に作られる、請求項1記載の識別器具。
【請求項２２】
前記回路が完全に少なくとも1つの有機物質から作られる、請求項21記載の識別器具。
【請求項２３】
前記回路に電力を供給するために接続された電源をさらに含み、前記電源が、有機物質から少なくとも部分的に作られている請求項1記載の識別器具。
【請求項２４】
前記回路内にダイオードをさらに含み、前記ダイオードが有機物質を含む請求項1記載の識別器具。
【請求項２５】
情報を格納するように適応されたデータ記憶装置をさらに含み、前記データ記憶装置が少なくとも1つの有機物質から本質的に作られている請求項1記載の識別器具。
【請求項２６】
前記データ記憶装置に接続されたキーパッドをさらに含み、前記キーパッドがデータ記憶装置へデータを入力するように適応されている請求項25記載の識別器具。
【請求項２７】
前記回路に接続されたマイクロストリップアンテナをさらに含み、前記アンテナは、識別器具外部の装置に情報を送信するように適応されている請求項1記載の識別器具。
【請求項２８】
前記マイクロストリップアンテナが連続的な送信アンテナある、請求項27記載の識別器具。
【請求項２９】
構造が人によって着用されるか、または人に付けられる場合、マイクロストリップアンテナは、エネルギーを人から遠ざけて放射し、且つ人に対して本質的により少ないエネルギーを放射するように適応されるように、前記マイクロストリップアンテナが、前記構造上に、あるいはその構造内に配置される、請求項27記載の識別器具。
【請求項３０】
前記マイクロストリップアンテナは、導電性パッチ層、導電性グランド層、およびパッチ層とグランド層の間で配置された誘電体を含み、前記構造が人によって着用されるか、または人に付けられる場合に、前記グランド層は、パッチ層よりも人により近く位置している請求項27記載の識別器具。
【請求項３１】
前記回路に接続された聴覚的または視覚的ディスプレイをさらに含む請求項1記載の識別器具。
【請求項３２】
前記情報が人に関する医療データを含んでいる、請求項1記載の識別器具。
【請求項３３】
識別器具が不正開放されたことを回路が検知する場合に、回路機能の動作を不能にするように回路が適応されている、請求項1記載の識別器具。
【請求項３４】
人と回路に関する情報を格納するように適応されたデータ記憶装置をさらに含み、識別器具が不正開放されたことを決定する場合に、前記情報を変更するか、消すか、破損するように前記回路が適応されている、請求項1記載の識別器具。
【請求項３５】
データ記憶装置がメモリであり、回路が識別器具が不正開放されたと決定する場合に、メモリ内の前記情報を変更するか、消すか、破損するように前記回路が適応されている、請求項34記載の識別器具。
【請求項３６】
データ記憶装置中の情報を変更、消去、または破損すること無しに、認可された人か代理業者が識別器具を取り外すことを可能にするように、前記回路が適応されている請求項34記載の識別器具。
【請求項３７】
前記識別器具が人から分離されたと前記回路が決定する場合に、回路機能の動作を不能にするかまたは変更するように前記回路が適応されている、請求項1記載の識別器具。
【請求項３８】
前記回路機能が前記識別器具外部への情報の通信である請求項37の識別器具。
【請求項３９】
前記回路機能が前記回路への電力供給を含んでいる、請求項37の識別器具。
【請求項４０】
前記回路機能がアンテナ使用可能要素を含んでいる、請求項37の識別器具。
【請求項４１】
前記回路機能がアンテナのチューニングを含んでいる、請求項37の識別器具。
【請求項４２】
前記回路機能が、前記回路への論理状態入力を変更することを含んでいる、請求項37の識別器具。
【請求項４３】
前記構造の中にあるいは上に配置された電気的な導電体をさらに含み、前記導電体が、導電性のワイヤーあるいはファイバー、導電性の箔、溶解可能な導電体、あるいは構造上に印刷された導電体の1つ以上を含み、前記導電体の分裂か破壊が、前記回路に留め具の不正開放が生じたことを決定させる、請求項37の識別器具。
【請求項４４】
前記導電体と通信する閉鎖部をさらに有し、この閉鎖部が、前記導電体と近接して導電性接着剤、導電性閉鎖機構、磁気閉鎖機構、導電性のリベットあるいはステープル、圧着材料あるいは熱結合材料の1つ以上を含む請求項43の識別器具。
【請求項４５】
前記構造内に埋め込まれた非導電性のファイバーのパターンをさらに含み、前記ファイバーは、前記識別器具が過度に伸ばされるかねじられる時に、電気回路の動作を不能にするか、短絡するか、あるいは破壊する請求項37の識別器具。
【請求項４６】
電気回路を動作不能にするか、短絡するか、あるいは破壊することが、前記識別器具が、識別器具の外部に情報を送信するのを防ぐ、請求項45の識別器具。
【請求項４７】
電気回路を動作不能にするか、短絡するか、あるいは破壊することが、前記情報を格納するデータ記憶装置を動作不能にする請求項45の識別器具。
【請求項４８】
インジケータをさらに含み、このインジケータは、識別器具が不正開放されたか否かを示すように適応されている請求項1の識別器具。
【請求項４９】
前記インジケータは、インクか染料を含み、前記回路が識別器具での不正開放を検知する場合、インクあるいは染料を放出するように適応されている請求項48の識別器具。
【請求項５０】
インジケータをさらに含み、インジケータは留め具が閉まっているか否かを示すように適応されている請求項1の識別器具。
【請求項５１】
留め具が閉まっている場合、インジケータが可視識別パターンを形成する請求項50の識別器具。
【請求項５２】
識別パターンに対応する電気回路を作動するように回路が適応されている請求項51の識別器具。
【請求項５３】
人に関する情報を提供するように適応された識別器具であって、この識別器具が、
人によって装着されるかあるいは人に付けられるように適応された構造、
前記構造内、あるいはその構造上に配置された通信回路、人に関するバイオメトリック情報を、識別器具の外部のソースから得るように適応された通信回路、および
バイオメトリック情報を格納するように適応されたデータ記憶装置からなる、識別器具。
【請求項５４】
前記通信回路が、外部装置に接続されるように適応された入力ポートを含み、前記外部装置が、入力ポートを通して通信回路にバイオメトリック情報を送信するように適応されている請求項53の識別器具。
【請求項５５】
前記通信回路は、別の外部装置に接続されるように適応されており、この別の外部装置が、前記通信回路に人に関する別の情報を送信するように適応されており、前記データ記憶装置はバイオメトリック情報および別の情報を格納するように適応されている請求項54の識別器具、
【請求項５６】
前記データ記憶装置には、メモリが含まれる、請求項53の識別器具。
【請求項５７】
前記メモリが不揮発性である請求項56の識別器具。
【請求項５８】
前記構造を人に付けるように適応された留め具、および
構造中あるいは構造上に配置された回路をさらに含み、
前記留め具の閉鎖が前記回路の機能を作動する請求項53の識別器具。
【請求項５９】
前記回路の機能が、人に関する情報を、識別器具の外部への通信である請求項58の識別器具。
【請求項６０】
前記回路の機能が、回路への電力の供給を含む請求項58の識別器具。
【請求項６１】
前記回路の機能が、アンテナ使用可能要素を含んでいる、請求項58の識別器具。
【請求項６２】
前記回路の機能が、アンテナのチューニングを含んでいる、請求項58の識別器具。
【請求項６３】
前記回路の機能が、回路に入力される論理状態を変更することを含む、請求項58の識別器具は。
【請求項６４】
前記バイオメトリック情報が、人の網膜、指紋、虹彩、音声あるいは遺伝特性を含んでいる、請求項53の識別器具。
【請求項６５】
前記バイオメトリック情報が人のイメージを含んでいる、請求項53の識別器具。
【請求項６６】
前記バイオメトリック情報が、光学文字認識可能データを含む請求項53の識別器具。
【請求項６７】
前記識別器具が、リストバンド、ヘッドバンド、アームバンド、アンクルバンド、ネックバンドあるいはレッグバンドである、請求項53の識別器具。
【請求項６８】
前記識別器具がパッチまたはカードである、請求項53の識別器具。
【請求項６９】
前記回路の少なくとも1つの構成要素が、少なくとも1つの有機物質から本質的に作られる、請求項53の識別器具。
【請求項７０】
前記回路が完全に少なくとも1つの有機物質から作られる、請求項69の識別器具。
【請求項７１】
前記回路に電力を供給するために接続された電源をさらに含み、前記電源が有機物質から少なくとも部分的に作られている請求項53の識別器具。
【請求項７２】
前記回路内にダイオードをさらに含み、前記ダイオードが有機物質から成る請求項53の識別器具。
【請求項７３】
前記情報を格納するように適応されたデータ記憶装置をさらに含み、前記データ記憶装置が少なくとも1つの有機物質から本質的に作られる請求項53の識別器具。
【請求項７４】
前記回路に接続されたマイクロストリップアンテナをさらに含み、前記アンテナが識別器具外部の装置に情報を送信するように適応されている請求項53の識別器具。
【請求項７５】
前記識別器具が干渉されたことを回路が検知する場合に、回路機能を不能にするために、回路が適応されている、請求項58の識別器具。
【請求項７６】
前記回路の機能が、前記識別器具外部への情報の通信である、請求項75の識別器具。
【請求項７７】
人に関する情報を格納するように適応されたデータ記憶装置をさらに含み、前記識別器具が不正開放されたと前記回路が決定する時に、前記情報を変更するか、消すか、または破損するように前記回路が適応されている請求項75の識別器具
【請求項７８】
前記データ記憶装置がメモリであり、識別器具が不正開放されたと回路が決定する時に、メモリ中の情報を変更するか、消去するか、または破損するように前記回路が適応されている請求項77の識別器具。
【請求項７９】
前記データ記憶装置が、人に関するバイオメトリック情報および関連する情報を格納するように適応されている、請求項77の識別器具。
【請求項８０】
識別器具の所有者はその認可された持ち手であるか確認する方法であり、
識別器具中の回路に以前に格納された持ち手のバイオメトリックデータを検索し、
識別器具の所有者から現在のバイオメトリックデータを得、そして
以前に格納されたバイオメトリックデータおよび現在のバイオメトリックデータが同一人物に関係しているかどうか決めことを含む方法。
【請求項８１】
認可された持ち手の同一性が確認されたかどうか示すことをさらに含む請求項80の方法。
【請求項８２】
前記示すステップが、人に知覚可能な可聴的、視覚的、または振動方法で示すことを含む、請求項81の方法。
【請求項８３】
以前に格納されたバイオメトリックデータを表示することをさらに含む請求項80の方法。
【請求項８４】
前記識別器具中の回路に以前に格納された持ち手に関連するデータを検索し、
前記識別器具の所有者から現在の関連するデータを得、そして
以前に格納された関連するデータおよび現在の関連するデータが同一人物のものからかどうか決めることをさら含む請求項80の方法。
【請求項８５】
前記現在のバイオメトリックデータを得るステップが、前記識別器具に、識別器具の所有者の現在のバイオメトリックデータを無線で伝えることを含んでいる、請求項80の方法。
【請求項８６】
前記現在の関連するデータを得るステップが、前記識別器具に識別器具の所有者の現在の関連するデータを無線で伝えることを含んでいる、請求項84の方法。
【請求項８７】
人に関する情報を提供するように適応された識別器具であり、この識別器具が、
人によって着用されるかあるいは人に付けられるように適応された構造、
前記構造中あるいはその構造上に配置された回路、
前記回路に接続され、前記構造中あるいはその構造上に配置されたセンサーであり、識別器具外部のソースから人に関する情報を得るように適応されているセンサー、および
前記構造中あるいはその構造上に配置され、前記回路に結合されたデータ記憶装置であり、情報を格納するように適応されているデータ記憶装置を含む識別器具。
【請求項８８】
前記センサーが、人に関するバイオメトリック情報を得るように適応されているバイオメトリックセンサーを含んでいる請求項87の識別器具。
【請求項８９】
前記バイオメトリック情報が、人の網膜、指紋、虹彩、音声あるいは遺伝特性を含んでいる、請求項88の識別器具。
【請求項９０】
前記バイオメトリック情報が、人のイメージを含んでいる、請求項88の識別器具。
【請求項９１】
前記バイオメトリック情報が、光学文字認識可能データを含んでいる、請求項88の識別器具。
【請求項９２】
前記バイオメトリックセンサーが、人に向かって光を放射するように適応された光放射装置、および指紋特性を得るために人からの光反射を測定するように適応されている光検出装置を含んでいる、請求項88の識別器具。
【請求項９３】
前記バイオメトリックセンサーが、人に向かって光放射するように適応された光放射装置、および網膜の特性を得るために人からの光反射を測定するように適応された光検出装置を含む請求項88の識別器具は。
【請求項９４】
前記バイオメトリックセンサーが、少なくとも1つの有機物質から作られる、請求項88の識別器具。
【請求項９５】
前記識別器具が、リストバンド、ヘッドバンド、アームバンド、アンクルバンド、ネックバンドあるいはレッグバンドである、請求項87の識別器具。
【請求項９６】
前記識別器具が、パッチまたはカードである、請求項87の識別器具。
【請求項９７】
前記センサーが、人に関する聴覚情報を得るように適応されている音響センサーを含んでいる、請求項87の識別器具。
【請求項９８】
前記音響センサーが、人からのスピーチ情報を得るように適応され、前記回路が、はスピーチ情報を処理するように適応されている請求項97の識別器具。
【請求項９９】
スピーチ情報から人に関するユニークな識別情報を引き出すために、前記回路が適応されている、請求項98の識別器具。
【請求項１００】
前記回路が、合成スピーチを出力するように適応されたオーディオ生成回路を含む、請求項98の識別器具。
【請求項１０１】
前記音響センサーが圧電変換器を含む、請求項97の識別器具。
【請求項１０２】
前記音響センサーが少なくとも1つの有機物質から本質的に作られる、請求項97の識別器具。
【請求項１０３】
前記センサーが、人に関する情報を光学的に得るように適応された光学センサーを含んでいる、請求項87の識別器具。
【請求項１０４】
前記光学センサーが、人の顔、指紋、虹彩あるいは網膜のイメージを捕らえるように適応された光検知器を含む、請求項103の識別器具。
【請求項１０５】
前記光学センサーが、電荷結合素子を含んでいる、請求項104の識別器具。
【請求項１０６】
前記光学センサーが、光検出器を含んでいる、請求項104の識別器具。
【請求項１０７】
前記光センサーが、少なくとも1つの有機物質から作られる、請求項103の識別器具。
【請求項１０８】
前記センサーが、人に関する情報を化学的に得るために適応されている化学センサーを含んでいる、請求項87の識別器具。
【請求項１０９】
前記化学センサーが、人の匂い、血液あるいは呼吸の生化学的内容を分析するために適応されている、請求項108の識別器具。
【請求項１１０】
前記センサーが、湿度に関する情報を得るために適応されている湿度センサーを含んでいる、請求項87の識別器具。
【請求項１１１】
前記センサーが、温度情報を得るために適応されている熱センサーを含んでいる、請求項87の識別器具。
【請求項１１２】
前記センサーが、圧力情報を得るように適応されている圧力センサーを含んでいる、請求項87の識別器具。
【請求項１１３】
前記センサーが、電磁エネルギーを受け取るために適応されている電磁気のセンサーを含んでいる、請求項87の識別器具。
【請求項１１４】
前記センサーが、少なくとも1つの有機物質から作られる、請求項87の識別器具。
【請求項１１５】
聴覚的、視覚的、または振動指示を人に提供するように適応されたインジケータをさらに含む請求項87の識別器具。
【請求項１１６】
データ記憶装置に接続されたキーパッドをさらに含み、このキーパッドがデータ記憶装置に情報を入力するように適応されている請求項87の識別器具。
【請求項１１７】
前記回路に接続されたマイクロストリップアンテナをさらに含み、前記アンテナが、前記識別器具外部の装置に情報を送信するように適応されている請求項87の識別器具。
【請求項１１８】
前記構造が、人によって装着されるか、人に付けられる場合に、前記マイクロストリップアンテナが、エネルギーを人から遠ざけて放射し、かつ人への本質的により少ないエネルギーを放射するように適応されるように、前記マイクロストリップアンテナが、前記構造上に、あるいはその構造内に配置される、請求項116の識別器具。
【請求項１１９】
前記回路に電力を供給するために接続された電源をさらに含み、前記電源が有機物質から少なくとも部分的に作られている請求項87の識別器具。
【請求項１２０】
前記電源には、光電池が含まれる、請求項118の識別器具。
【請求項１２１】
前記電源には、ボタン・スタイル・バッテリーが含まれる、請求項118の識別器具。
【請求項１２２】
前記回路内にダイオードをさらに含み、このダイオードが有機物質から成る請求項87の識別器具。
【請求項１２３】
前記データ記憶装置が少なくとも1つの有機物質から本質的に作られる、請求項87の識別器具。
【請求項１２４】
前記データ記憶装置が、人に関する情報を格納するように適応される不揮発性のメモリを含んでいる、請求項87の識別器具。
【請求項１２５】
前記人に関する情報が、前記データ記憶装置に暗号化された形式で格納されている、請求項87の識別器具。
【請求項１２６】
前記人に関する情報が、前記データ記憶装置に暗号化された形式で格納されている、請求項53の識別器具。
【請求項１２７】
識別器具の所有者が、認可された持ち手か否かを確認する方法であり、識別器具が、持ち手に関するコード化されたデータの第１の集合を含む方法が、
a)識別器具の所有者に関するデータの第２の集合を得ること、
b)コード化されたデータの第２の集合を得るためにデータの集合をコード化すること、
c)識別器具に格納されているコード化されたデータの第１の集合をリーダへ通信すること、そして
d)コード化されたデータの第１と第2の集合が同一人物のものかどうか決めることを含む方法。
【請求項１２８】
コード化されたデータの第１と第2の集合が、バイオメトリック情報を含んでいる、請求項127の確認する方法。
【請求項１２９】
前記決定するステップが、一致するコード化されたデータの第１と第2の集合の特徴の数を決定する、請求項127の確認する方法。
【請求項１３０】
前記決定するステップが、コード化されたデータの第１と第2の集合の特徴の一致する数が大きい場合に、一致の可能性が高いことを決定し、コード化されたデータの第１と第2の集合の特徴の一致する数が小さい場合に、一致の可能性が低いことを決定する請求項129の確認する方法。
【請求項１３１】
前記決定するステップが、一致する特性の数をしきい値と比較して、コード化されたデータの第１と第2の集合が同一人物からのものであることを決定する、請求項129の確認する方法。
【請求項１３２】
同一性検証の全体的な確率に対するデータの影響に基づいて、コード化されたデータの第１または第2の集合中の各データに重みを課すことをさらに含む、請求項127の確認する方法。
【請求項１３３】
コード化されたデータの第１と第2の集合が同一人物のものであるか否かの決定結果を示すことをさらに含む、請求項127の確認する方法。
【請求項１３４】
一致しないコード化されたデータの第１と第2の集合からデータをさらに含む、請求項127の確認する方法。
【請求項１３５】
コード化されたデータの第１と第2の集合からのデータが一致するかどうかを人が決め、且つこの決定を入力することを可能することをさらに含む、請求項134の確認する方法。
【請求項１３６】
前記決定するステップが、コード化されたデータの第１と第2の集合が同一人物からのものではないことを決める場合に、所有者が制限区域へのアクセスを獲得するのを妨げることをさらに含む、請求項134の確認する方法。
【請求項１３７】
留め具が構造に付けられたバックルを含み、前記バックルが、調節可能に構造を人に取り付けるように適応さている、請求項1の識別器具。
【請求項１３８】
バックルが不正に開放される時に、染料溜から染料を放出するバックルと連通する染料溜をさらに含む、請求項137の識別器具。
【請求項１３９】
バックルが回路に接続された導電体を含み、バックルの閉鎖が、回路の機能を作動可能にする、請求項137の識別器具。
【請求項１４０】
バックルが回路に接続された導電体を含む、バックルの開放が、回路の機能を作動不能にする、請求項137の識別器具。
【請求項１４１】
バックルが導電性コーティングを有する有機物質から作られる、請求項139の識別器具。
【請求項１４２】
乗り物の乗客に切符を発行し且つ搭乗手続をする方法であり、この方法が、
(a)チェックインで、
(i)識別バンドの乗客に関する識別データを格納し、そして
(ii)乗客に識別バンドを付け、
そして
(b)搭乗手続きで、
(i)乗客の識別バンド中の格納された識別するデータを受け取り、そして
(ii)乗客の身元を確認するために受信識別するデータを処理することを含む方法。
【請求項１４３】
前記格納するステップは、識別するデータを識別バンドに格納し、前記識別バンドがリストバンド、ヘッドバンド、アームバンド、ネックバンド、アンクルバンドあるいはレッグバンドである、請求項142の方法。
【請求項１４４】
前記格納するステップは、識別するデータを格納し、前記識別データには、乗客の網膜、指紋、虹彩、音声あるいは遺伝特性が含まれる、請求項142の方法。
【請求項１４５】
乗客の特徴のイメージを得ることをさらに含む請求項142の方法。
【請求項１４６】
前記格納するステップが、識別データを、文字認識しうるデータの形式で格納する、請求項142の方法。
【請求項１４７】
前記格納するステップが、データを格納するのに先立って識別データをコード化する、請求項142の方法。
【請求項１４８】
前記格納するステップが、データを格納するのに先立って識別データを暗号化する、請求項142の方法。
【請求項１４９】
前記格納するステップが、識別バンド中の不揮発性メモリーに識別データを格納する、請求項142の方法。
【請求項１５０】
前記処理ステップが、識別バンドが開かれたか不正に開放された否かを決定する、請求項142の方法。
【請求項１５１】
前記格納するステップが、乗客に関する識別データを得ることを含んでいる、請求項142の方法。
【請求項１５２】
受取った識別データを表示することをさらに含む請求項142の方法。
【請求項１５３】
前記受取るステップが、識別バンドとの無線通信によって格納された識別データを受信する、請求項142の方法。
【請求項１５４】
或るイベントで自動的に終了するように識別バンドを構成することをさらに含む請求項142の方法。
【請求項１５５】
前記イベントが、乗り物への乗客の搭乗である、請求項154の方法。
【請求項１５６】
前記乗り物が飛行機である請求項142の方法。
【請求項１５７】
前記乗り物が船である請求項142の方法。
【請求項１５８】
前記乗り物が列車である請求項142の方法。
【請求項１５９】
前記乗り物がバスである請求項142の方法。
【請求項１６０】
乗客の位置をモニターすることをさらに含む請求項142の方法。
【請求項１６１】
乗り物の旅客手荷物にタグを確実に付け且つ引き取る方法であり、
(a)出発時に
(i)識別バンドの乗客に関する識別データを格納し、
(ii)乗客に識別バンドを付け、そして、
(iii)乗客の預けられた手荷物の各アイテムに識別バンドを付け、
(b)そして手荷物引取所で、
(i)乗客の識別バンド中の格納された識別データを受け取り、
(ii)引き取られた手荷物の各アイテムの識別バンド中に格納された識別データを受け取り、
そして
(iii)引き取られた手荷物のアイテムがそれぞれ乗客に関係していることを確認するために受取りデータを処理することを含む、方法。
【請求項１６２】
前記格納するステップが、識別バンドに識別データを格納し、前記識別バンドが、リストバンド、ヘッドバンド、アームバンド、ネックバンド、アンクルバンドあるいはレッグバンドである、請求項161の方法。
【請求項１６３】
前記格納するステップが、識別データを格納し、前記識別データが、乗客の網膜、指紋、虹彩、音声あるいは遺伝特性を含む、請求項161の方法。
【請求項１６４】
乗客の特徴のイメージを得ることさらに含む請求項161の方法。
【請求項１６５】
前記格納するステップが、文字認識しうるデータの形式で識別するデータを格納する、請求項161の方法。
【請求項１６６】
前記格納するステップが、データを格納するか送信するに先立って、識別データをコード化する、請求項161の方法。
【請求項１６７】
前記格納するステップが、データを格納するか送信するに先立って、識別データを暗号化する、請求項161の方法。
【請求項１６８】
前記格納するステップが、識別バンド中の不揮発性メモリーに識別データを格納する、請求項161の方法。
【請求項１６９】
前記処理するステップが、識別バンドが開かれたか不正開放されたかどうかを決定する、請求項161の方法。
【請求項１７０】
前記格納するステップが、乗客に関する現在の識別データを得ることを含んでいる、請求項161の方法。
【請求項１７１】
受取った識別データを表示することをさらに含む請求項161の方法。
【請求項１７２】
前記受取るステップが、識別バンドとの無線通信によって前記格納された識別するデータを受け取る、請求項161の方法。
【請求項１７３】
或るイベントで自動的に終了するように識別バンドを構成することをさらに含む請求項161の方法。
【請求項１７４】
前記イベントが、乗り物への乗客の搭乗である、請求項173の方法。
【請求項１７５】
前記乗り物が飛行機である請求項161の方法。
【請求項１７６】
前記乗り物が船である請求項161の方法。
【請求項１７７】
前記乗り物が列車である請求項161の方法。
【請求項１７８】
前記乗り物がバスである請求項161の方法。
【請求項１７９】
前記乗客の位置をモニターすることをさらに含む請求項161の方法。
【請求項１８０】
セキュリティーチェックポイントで乗客の同一性を確認することをさらに含む請求項161の方法。
【請求項１８１】
乗客あるいは乗客の預かり手荷物の旅程が変わる場合、乗客の識別バンドおよび乗客の預かり手荷物の識別バンドを更新することをさらに含む請求項161の方法。
【請求項１８２】
移民資格を人に関連させる方法であり、この方法が、
関心のある国の人の移民資格の決定し、
識別器具に人に関する移民資格および識別データを格納し、そして
人に識別器具を供給することを含む方法。
【請求項１８３】
前記格納するステップが、識別器具に識別データを格納し、前記識別器具がリストバンド、ヘッドバンド、アームバンド、アンクルバンド、ネックバンドあるいはレッグバンドである、請求項182の方法。
【請求項１８４】
前記格納するステップが、識別するデータを格納し、前記識別データが、人の網膜、指紋、虹彩、音声あるいは遺伝特性を含む、請求項182の方法。
【請求項１８５】
人の特徴のイメージを得ることをさらに含む請求項182の方法。
【請求項１８６】
前記格納するステップが、文字認識しうるデータの形式で識別データを格納する、請求項182の方法。
【請求項１８７】
前記格納するステップが、データを格納するか送信するに先立って、識別データをコード化する、請求項182の方法。
【請求項１８８】
前記格納するステップが、データを格納するか送信するに先立って、識別するデータを暗号化する、請求項182の方法。
【請求項１８９】
前記格納するステップが、識別器具中の不揮発性メモリーに識別データを格納する、請求項182の方法。
【請求項１９０】
前記処理するステップが、前記識別器具が開かれたか不正開放されたか否かを決定する、請求項182の方法。
【請求項１９１】
前記格納するステップが、人に関する現在の識別データを得ることを含んでいる、請求項182の方法。
【請求項１９２】
人が入国を求めている場合に、人の移民資格を確認することをさらに含む請求項182の方法。
【請求項１９３】
前記識別器具を人への郵送することをさらに含む請求項182の方法。
【請求項１９４】
動物に知覚可能な物質を放出するように、インジケータが適応されている、請求項48の識別器具。
【請求項１９５】
機械で知覚可能な物質を放出するように、インジケータが適応されている、請求項48の識別器具。
【請求項１９６】
動物に知覚可能な物質を放出するように適応されているインジケータをさらに含む請求項87の識別器具。
【請求項１９７】
機械に知覚可能な物質を放出するように適応されているインジケータをさらに含む請求項87の識別器具。
【請求項１９８】
動物に知覚可能な物質を放出するように適応されているインジケータをさらに含む請求項138の識別器具。
【請求項１９９】
機械に知覚可能な物質を放出するように適応されているインジケータをさらに含む請求項138の識別器具。
【請求項２００】
暗号化された形式で人に関する情報を送信するように、通信回路が適応されている、請求項53の識別器具。
【請求項２０１】
暗号化された形式中で人に関する情報を送信するように、前記回路が適応されている、請求項87の識別器具。
【請求項２０２】
前記バックルが導電性有機物質から作られる、請求項139の識別器具。
【請求項２０３】
人に関する音響情報を得るように適応された音響センサーをさらに含む請求項1の識別器具。
【請求項２０４】
前記音響センサーが、人からスピーチ情報を得るように適応されており、前記回路がスピーチ情報を処理するように適応されている請求項203の識別器具。
【請求項２０５】
人に関する音響情報を得るように適応された音響センサーをさらに含む請求項15の識別器具。
【請求項２０６】
人に関する情報を光学的に得るように適応された光学センサーをさらに含む請求項1の識別器具。
【請求項２０７】
前記光学センサーが、人の顔、指紋、虹彩あるいは網膜のイメージを捕らえるように適応されている光検出器を含む、請求項206の識別器具。
【請求項２０８】
人に関する情報を光学的に得るように適応された光学センサーをさらに含む請求項15の識別器具。
【請求項２０９】
人に関する情報を化学的に得るように適応された化学センサーをさらに含む請求項1の識別器具。
【請求項２１０】
前記化学センサーが、人の匂い、血液あるいは呼吸の生化学的内容を分析するように適応されている、請求項209の識別器具。
【請求項２１１】
人に関する情報を化学的に得るように適応された化学センサーをさらに含む請求項15の識別器具。
【請求項２１２】
人に関する聴覚の情報を得るように適応された音響センサーをさらに含む請求項53の識別器具。
【請求項２１３】
前記音響センサーが、人からスピーチ情報を得るように適応されており、前記通信回路が、スピーチ情報を処理するように適応されている請求項212の識別器具。
【請求項２１４】
人に関する情報を光学上得るように適応された光学センサーをさらに含む請求項53の識別器具。
【請求項２１５】
前記光学センサーが、人の顔、指紋、虹彩あるいは網膜のイメージを捕らえるように適応されている光検知器を含む、請求項214の識別器具。
【請求項２１６】
人に関する情報を化学的に得るように適応された化学センサーをさらに含む請求項53の識別器具。
【請求項２１７】
前記化学センサーが、人の匂い、血液あるいは呼吸の生化学的内容を分析するように適応されてい請求項216の識別器具。
【請求項２１８】
人に関する聴覚の情報を得るように適応された音響センサーをさらに含む請求項88の識別器具。
【請求項２１９】
人に関する情報を光学的に得るように適応された光センサーをさらに含む請求項88の識別器具。
【請求項２２０】
人に関する情報を化学的に得るように適応された化学センサーをさらに含む請求項88の識別器具。
【請求項２２１】
人に関するバイオメトリック情報を得るように適応されたバイオメトリックセンサーをさらに含む請求項103の識別器具。
【請求項２２２】
人に関する音響情報を得るように適応された音響センサーをさらに含む請求項103の識別器具。
【請求項２２３】
人に関する情報を化学的に得るように適応された化学センサーをさらに含む請求項103の識別器具。
【請求項２２４】
人に関するバイオメトリック情報を得るように適応されたバイオメトリックセンサーをさらに含む請求項108の識別器具。
【請求項２２５】
人に関する音響情報を得るように適応された音響センサーをさらに含む請求項108の識別器具。
【請求項２２６】
人に関する情報を光学的に得るように適応された光センサーをさらに含む請求項108の識別器具。
【請求項２２７】
人に関するバイオメトリック情報を得るように適応されたバイオメトリックセンサーをさらに含む請求項113の識別器具。
【請求項２２８】
人に関する聴覚の情報を得るように適応された音響センサーをさらに含む請求項113の識別器具。
【請求項２２９】
人に関する情報を光学的に得るように適応された光センサーをさらに含む請求項113の識別器具。
【請求項２３０】
人に関する情報を化学的に得るように適応された化学センサーをさらに含む請求項113の識別器具。
【請求項２３１】
データの第2の集合が所有者に関するバイオメトリック情報を含んでいる、請求項127の方法。
【請求項２３２】
データの第2の集合が所有者の音声またはスピーチ特性に関する音響情報を含んでいる、請求項127の方法。
【請求項２３３】
データの第2の集合が所有者に関する光学情報を含んでいる、請求項127の方法。
【請求項２３４】
データの第2の集合が所有者に関する化学の情報を含んでいる、請求項127の方法。
【請求項２３５】
データの第2の集合が所有者に関する遺伝的情報を含んでいる、請求項127の方法。
【請求項２３６】
データの第１の集合が所有者に関する遺伝的情報を含んでいる、請求項127の方法。
【請求項２３７】
前記導電体が、導電性のワイヤーまたはファイバー、導電性の箔、溶解可能な導電体あるいは構造上に印刷した導電体の1つ以上を含む、請求項9の識別器具は。
【請求項２３８】
前記閉鎖部が、導電性接着剤、導電性閉鎖機構、磁気閉鎖機構、導電性リベットかステープル、圧着された材料あるいは導電体と接近した熱結合材料の1つ以上を含んでいる、請求項9の識別器具。
【請求項２３９】
前記留め具が第１の接触部および第２の接触部を含み、前記回路が、第１と第2の接触部が電気的通信状態にあるかどうか決める、請求項9の識別器具。
【請求項２４０】
前記留め具が閉まっている場合に、前記回路に留め具を接続する導電体をさらに含む請求項239の識別器具。
【請求項２４１】
前記導電体には、導電性のワイヤーまたはファイバー、導電性の箔、溶解可能な導電体あるいは構造上に印刷された導電体の1つ以上が含まれる、請求項239の識別器具は。
【請求項２４２】
前記導電体と通信する閉鎖部をさらに含む請求項240の識別器具。
【請求項２４３】
前記閉鎖部が、導電性接着剤、導電性閉鎖機構、磁気閉鎖機構、導電性リベットかステープル、圧着された材料あるいは導電体と接近した熱結合材料の1つ以上を含んでいる、請求項242の識別器具。
【請求項２４４】
前記閉鎖部が閉じられた後、前記閉鎖部が開かれたか不正開放されたか否かを決定するように前記制御回路が適応されている請求項242の識別器具。
【請求項２４５】
前記留め具が第１の接触部および第２の接触部を含み、前記回路が、第１と第2の接触部が誘導通信状態にあるかどうか決める、請求項9の識別器具。
【請求項２４６】
前記留め具が閉じた時に、前記回路に前記留め具を接続する導電体をさらに含む請求項245の識別器具。
【請求項２４７】
前記導電体が、導電性ワイヤーまたはファイバー、導電性の箔、溶解可能な導電体あるいは構造上に印刷された導電体の1つ以上を含む、請求項246の識別器具。
【請求項２４８】
前記導電体と通信する閉鎖部をさらに含む請求項247の識別器具。
【請求項２４９】
前記閉鎖部が、導電性接着剤、導電性閉鎖機構、磁気閉鎖機構、導電性のリベットかステープル、圧着された材料あるいは導電体に接近した熱結合材料の1つ以上を含んでいる、請求項248の識別器具。
【請求項２５０】
前記閉鎖部が閉じられた後、前記閉鎖部が開かれたか不正開放されたか否かを決定するように前記制御回路が適応されている請求項248の識別器具。
【請求項２５１】
前記留め具が、第１の接触部および第２の接触部を含み、前記回路が、第１と第2の接触部が誘導通信状態であるかどうかを決める、請求項9の識別器具。
【請求項２５２】
前記留め具が閉まった時に、前記回路に留め具を接続する導電体をさらに含む請求項251の識別器具。
【請求項２５３】
前記導電体が導電性のワイヤーかファイバー、導電性の箔、溶解可能な導電体あるいは構造上に印刷された導電体の1つ以上を含む、請求項252の識別器具。
【請求項２５４】
前記導電体と通信する閉鎖部をさらに含む請求項252の識別器具。
【請求項２５５】
前記閉鎖部が、導電性接着剤、導電性閉鎖機構、磁気閉鎖機構、導電性リベットかステープル、圧着材料あるいは導電体に接近した熱結合材料の1つ以上を含んでいる、請求項254の識別器具。
【請求項２５６】
前記閉鎖部が閉じられた後、前記閉鎖部が開かれたか不正開放されたか否かを決定するように前記制御回路は適応される請求項254の識別器具。
【請求項２５７】
前記データ記憶装置が1つ以上の有機物質から完全に作られる、請求項25の識別器具。
【請求項２５８】
データ記憶装置が1つ以上の有機物質から完全に作られる、請求項73の識別器具。
【請求項２５９】
前記格納するステップが、無線通信によって前記識別バンドに識別データを通信する、請求項142の方法。
【請求項２６０】
前記格納するステップが、乗客の預かり手荷物のアイテムの数量を含んでいる、請求項161の方法。
【請求項２６１】
前記処理するステップが、乗客が乗客の預かり手荷物をすべて検索したか否かを決めることを含んでいる、請求項161の方法。
【請求項２６２】
外部データベースに記憶するための情報の少なくとも1部分と通信し、かつ外部に記憶された情報へのリンクをデータ記憶装置に格納するように、前記回路が適応されている、請求項25の識別器具。
【請求項２６３】
外部データベースに記憶するための情報の少なくとも1部分と通信し、かつ外部に格納された情報へのリンクをデータ記憶装置に格納するように、前記回路が適応されている、請求項34の識別器具。
【請求項２６４】
外部データベースに記憶するためのバイオメトリック情報の少なくとも1部分と通信し、かつ外部に格納されたバイオメトリック情報へのリンクをデータ記憶装置に格納するように、前記通信回路が適応される、請求項53の識別器具。
【請求項２６５】
外部データベースに以前に格納された持ち手のバイオメトリックデータをに検索することをさらに含む請求項80の方法。
【請求項２６６】
外部データベースに記憶するための情報の少なくとも1部と通信し、かつ外部に格納された情報へのリンクをデータ記憶装置に格納するように、前記回路が適応される、請求項87の識別器具。
【請求項２６７】
前記回路が外部通信システムからコマンドを受信するように適応されており、前記コマンドが識別器具の操作の特徴を変更するように適応されている、請求項1の識別器具。
【請求項２６８】
或る通信プロトコルの基で外部通信システムと通信するように前記回路が適応されており、前記コマンドは、通信プロトコルの特性を変更する請求項267の識別器具。
【請求項２６９】
前記外部通信システムと情報を通信するように、前記回路が適応されており、前記コマンドが、情報が受信されるかまたは送信される周波数を変更する、請求項268の識別器具。
【請求項２７０】
前記外部通信システムと情報を通信するように、前記回路が適応されており、前記コマンドが、情報が受信されるかまたは送信される速度を変更する、請求項268の識別器具。
【請求項２７１】
前記外部通信システムと通信するように、前記回路が適応されており、前記コマンドが、前記外部通信システムと通信するための前記回路の能力を変更する、請求項267の識別器具は。
【請求項２７２】
前記コマンドが、識別器具の有効期限を変更する、請求項267の識別器具。
【請求項２７３】
前記外部通信システムからコマンドを受け取るように、前記通信回路が適応されており、前記コマンドが、識別器具の操作の特徴を変更するように適応されている請求項53の識別器具。
【請求項２７４】
前記通信回路が、或る通信プロトコルの基で外部通信システムと通信するように適応されており、前記コマンドが、通信プロトコルの特性を変更する請求項273の識別器具。
【請求項２７５】
前記コマンドが、情報が受信されるかまたは送信される周波数を変更する、請求項274の識別器具。
【請求項２７６】
前記コマンドが、情報が受信されるかまたは送信される速度を変更する、請求項274の識別器具。
【請求項２７７】
前記コマンドが、外部通信システムと通信するように、通信回路の能力を変更する、請求項273の識別器具。
【請求項２７８】
前記コマンドが、識別器具の有効期限を変更する、請求項273の識別器具。
【請求項２７９】
外部通信システムからコマンドを受信するように前記通信回路が適応されており、前記コマンドが、識別器具の操作の特徴を変更するように適応されている請求項87の識別器具。
【請求項２８０】
或る通信プロトコルの基で外部通信システムと通信するように、前記回路が適応されており、前記コマンドが、通信プロトコルの特性を変更するように適応されている請求項279の識別器具。
【請求項２８１】
或る外部通信システムと通信するように、前記回路が適応されており、前記コマンドが、前記回路が外部通信システムと通信する周波数を変更する請求項280の識別器具。
【請求項２８２】
或る外部通信システムと通信するように、前記回路が適応されており、前記コマンドが、前記回路が外部通信システムと通信する速度を変更する、請求項280の識別器具。
【請求項２８３】
或る外部通信システムと通信するように、前記回路が適応されており、前記コマンドが、前記回路が外部通信システムと通信する能力を変更する、請求項279の識別器具は、
【請求項２８４】
前記コマンドが、識別器具の有効期限を変更する、請求項279の識別器具。
【発明の詳細な説明】
【技術分野】
【０００１】
本発明の分野は、リストバンドのような識別器具に一般的に関係し、特に、バイオメトリックセンサー、化学センサー、光センサー、熱センサー、圧力センサー、湿度センサー、電磁気のセンサー、音響センサー、様々なオプト・エレクトロニクスおよび(または)開放済かがすぐ分かる開放防止機能のような様々なセキュリティ機能を備えた識別器具に関係する。
【背景技術】
【０００２】
本明細書は、便宜のために「バンド」あるいは「識別器具」とまとめて呼ばれる改良された識別リストバンド、ブレスレット、パッチ、ヘッドバンド、ネックレス、カード、ステッカーあるいは他の着用可能な器具を検討する。識別バンドは、永久に人々にマークを付すこと無しに、人々を識別する便利で有効な方法になった。バンドの原理的利点は、それが結局除去可能であるということである。識別バンドは、その幅より大きな長さを持っている、柔軟なリスト・ストラップと、着用者の手首のまわりでバンドを固定して付けて維持するための閉鎖部または固定具とから典型的には成る。バンドの一部は着用者に関する識別あるいは他の情報を印刷するかまたはその他の方法で付けるために使用されてもよい。バーコード、無線周波数識別(RFID)装置および同種のものも、バンドおよび関係する人又は物体に関連した情報を格納し転送するために使用することができる。例えば、RFID装置は、30キロヘルツ(kHz)から300ギガヘルツ(GHz)までの範囲中の周波数の中で作動するものを含んでいる。電子データおよびRFID機能の記憶装置を含む様々なバンド構造、取付およびその他の特徴は、例えば、ペニューラの米国特許第5,493,805号、モーシァーの米国特許の第5,457,906号、モーシァーの米国特許第5,973,600号、ベーグルの米国特許第5,973,598号、ベーグルの米国特許第6,181,287号、ピーターソンの米国特許第5,479,797号、またはピーターソンの米国特許第5,581,924号に記載されている。
【０００３】
バンドは、着用者にそれを物理的に固定して付けることができるので、データを含んでいるＩＤカード(クレジットカード、切符あるいはその他同種のもののような)の他の形式と比較して有利である。その結果、識別バンドの現在の使用は、病院、クリニックおよび他の位置での患者の識別、遊園地への入場、一時的セキュリティ対策、設備アクセス・コントロールおよびチケット発行及び受給資格機能を含んでいる。識別バンドはこれらの目的に使用されるが、識別バンドおよびその他同様のもののための更なる応用が必要である。
【０００４】
識別バンドのための一つの重要な用途は、病院、クリニックおよび他の場所での患者識別および位置決めである。適切なリーダ（読取装置）と共に使用された時に、患者情報は電子的に集められて、任務の遂行中の医療スタッフが使用することができる。別の例は、刑務所の犯罪者のような人員の位置を追跡することである。識別バンドが、コンサート・ホールか刑務所である制限区域に入る権限を有するものを指定するために使用される場合、識別バンド取付方法は堅固である必要がある。識別リストバンドは、柔軟なリスト・ストラップ、および着用者の手首のまわりでリストバンドを固定して付けて維持するための閉鎖部から典型的には成る。さらに、例えば、病院、刑務所あるいは危険な仕事エリアで使用される識別バンドの重要な様相は、バンド中に、あるいはバンド上に含まれる情報のセキュリティである。不正行為あるいは識別間違いを防ぐために、バンドおよび関連する情報が、物理的及び操作上の両方で安全且つ信頼性よく維持されることが望ましい。先行技術は識別バンドをより確実に固定することを試みていたが、さらなる改良の必要がある。
【０００５】
人が視覚的にバンド上の印刷情報を読むことによって、バーコード情報を走査することによって、あるいは識別バンドによって送信された識別情報を電子的に読むことによって、識別バンドは情報を単純に提供する。したがって、バーコード、RFID装置および同様のものが、バンドおよびそれに関係する人物か物体に関連した情報の情報記憶およびデータ転送を増強するために使用される。情報が維持される方法と同様に識別バンド上に含まれる情報の形態も改良する必要がある。
【０００６】
さらに、識別バンドが無線通信およびデータ保存機能を組込む場合、偽造と詐欺的使用の機会は増加する。重要なものとてしは、不正開放検知、不正開放予防、安全な情報伝送、情報の完全性、および他のものへの情報の無許可の転送の予防の保証がある。これらの分野の各々における改良が必要である。
【０００７】
情報は、トランスポンダかRFID「タグ」に電子的に格納することできる。その情報はタグ「リーダ」に伝えられる。RFIDタグおよびリーダの間の通信は電磁（ＥＭ）波の送信及び受信による。各々は、電気的信号をEMにまたはその逆に変換するためのアンテナを持っいる必要がある。RFIDシステムは、高周波数(HF)から極超短波(SHF)無線バンド、およそ3メガヘルツ(MHz)から5.88GHzのような6ギガヘルツ(GHz)までの、広範囲の周波数上で作動することができ、400MHz、915MHz、極超短波(UHF)バンド中の2.45GHzおよび13.5MHzの近くの周波数で同様に作動することができる。約50MHz以下でのタグ・アンテナとリーダ・アンテナの間のカップリングは、主として反応型近接場の磁気成分によって行われ、タグ・アンテナは共振回路のコイルとして形成される。50MHz以上で、送信機構は電場であり、タグ・アンテナは放射素子として構成される。
【０００８】
識別器具が他の装置と通信する場合があるので、追加の特徴および回路が同様に望ましい場合がある。
【発明の開示】
【課題を解決するための手段】
【０００９】
リストバンド、ブレスレット、パッチ、ヘッドバンド、ネックバンド、アンクルバンド、アームバンド、ベルト、カード、ステッカーあるいは他の着用可能な器具のような識別器具が、バイオメトリックセンサー、化学センサー、光センサー、熱センサー、圧力センサー、湿度センサー、電磁気センサー、音響センサー、光学ディスプレイ、様々なオプト・エレクトロニクスおよび(または)本明細書で記述される開放済かがすぐ分かる開放防止機能のような様々なセキュリティ機能によって増強される。識別器具からデータを読むためのリーダおよびベリファイヤ（検証装置）も記述され、さらに、乗客へのチケット発行、旅客手荷物の預けおよび引取、および移民資格における識別器具の応用が同様に記述される。
【００１０】
発明の他のシステム、方法、特徴および利点は、以下の図面および詳細な説明を精査すれば当業者に明らかであり、または、明らかになるであろう。そのような追加のシステム、方法、特徴および利点がすべて本記述内に含まれ、発明の範囲内にあり、且つ特許請求の範囲によって保護されることが意図される。
【００１１】
図の中の構成要素は、必ずしも等尺ではなく、その代りに本発明の原理を図説するために、強調が行われている。さらに、図の中で、参照数字は異なる図を通りして対応する部分を指定する。しかしながら、類似の部分が類似の参照数字必ずしも持つとは限らない。さらに、例示図はすべて概念を伝えるように意図されており、相対サイズ、形およびその他の詳細な属性が、事実通りあるいは正確ではなく、概略的に図説される場合がある。
【発明を実施するための最良の形態】
【００１２】
本明細書中の使用では、「中に」の意味は、それが単体または複合語「その中に」の何れかで使用されて、「中に」および「上に」を含む。「無線周波数識別」および「RFID」は無線周波数通信による識別を意味する。
【００１３】
図1は、先行技術のRFIDリストバンドあるいはブレスレット1の実施形態を図示している。基板2は長方形の柔軟な一片あるいはポリマーまたは紙のラミネートである。RFID回路3はアンテナ回路、信号発生器回路、プログラム可能なエンコーダ回路および相互連結回路を含む。リストバンド1を調節可能に且つ固定して取り付けるための留め具は、基板2の一端上に、基板2の他端上に近づくことができる部品4および8をスナップ・留め具を有しており、他端の調節穴6のうちの1つを通して、嵌まる。本明細書に記述された実施形態のうちのいずれも、例えば、複数の嵌合または係止部分、連続可変長係止装置、または、一方向サイズ変化装置(つまり、バンドがよりきつくなることを可能にするが、緩まない既知のタイプの留め具)を提供することによって、調整可能とすることができる留め具を含むことができる。RFID回路3を含む回路は、様々な組合せで、基板2に載せることができるし、あるいは米国特許第5,973,598号に従って1つ以上の導電性パス、半導体デバイスあるいは高分子材料からなる層の上への堆積によって形成することができる。留め具は、さらに米国特許第5,457,906号に従った粘着性のリストバンド留め、米国特許第5,479,797号に従った留め機構、または、確実にリストバンドの互いの端部を結び付けて着用者の手首のまわりでリストバンドを閉じるリベット、ステープル、圧着圧着あるいは熱生成結合から成ることができる。
【００１４】
図2は、改良された固定識別バンド90の実施形態を図示する。本明細書に記述されたいずれの実施形態でも、識別「バンド」は、リストバンド、ブレスレット、パッチ、ヘッドバンド、アームバンド、レッグバント、アンクルバンド、フィンガーバンド、つま先バンド、ネックレス、カード、ステッカー、ウエストバッグ、ベルトあるいはその他の着用可能な器具を含むことができる。識別バンドは、人、動物あるいは機械に知覚可能なデータを含むことができる。例えば、エアゾール化学薬品か匂いの放射は、犬のような動物によって容易に検知できる場合がある。人は「動物」カテゴリーに入ると考えられる。さらに、データは、英数字のデータ、(バーコードのような)光学文字認識データ、イメージ、写真、磁気的に判読可能なデータおよび(または)バイオメトリックデータとすることができる。バイオメトリックデータは、人の指紋、網膜、血液、DNAあるいは音声データのような人を識別するために使用することができるデータを意味する。
【００１５】
この特定の実施形態では、識別バンド90は、人によって着用されるか、人に取り付けられるか、あるいは人によって運ばれるのに適切な構造91を含んでいる。好適には、識別バンド90はリストバンドであり、構造91は伸張した柔軟なリストバンド材料である。例えば、構造91は、重合体、紙あるいは有機物質の基板の長方形の柔軟なストリップ、あるいはこれらの薄層の組合せとすることができる。本明細書中使用では、「有機物質」は重合体を含んでいる。しかしながら、識別バンド90は、人の手首にのみを付けるものではなく、人または動物の足首、首あるいはその他の部分、あるいは物体に付けることもできる。バンド90の留め具は回路92を閉じて、RFID機能のような回路機能を作動する。もし所望であれば、留め具の解放は回路92を開き非作動状態にします。改良されたバンド90は、基板構造91、回路92、部分93および94を備えた留め具、調節穴95、各留め具部品93および94に回路92を接続する導電体96および97を含む。好適には、留め具は留められた時に電子回路を閉じて、電気的な接続をするか、他の方法、例えば電気結合あるいは容量結合によって電子回路を作動する。代替的に、留め具は導電性とすることができる。更なる代替として、留め具は誘導結合あるいは電磁結合によって回路を作動することかできる。本明細書に記載された任意の実施形態について、回路92は、アンテナ回路、通信回路、信号発生器回路、プログラム可能なエンコーダ回路および相互連結回路のような他の回路を含むのが好ましい。さらに、また、本明細書での任意の実施形態で、回路は、RFIDのような通信機能を含む様々な機能を達成することができる。1実施形態では、電子回路を含む表面実装RFIDチップは、識別バンド内に取り付けられ、アンテナに電気的に接続される。代替的に、RFIDチップは、構造91中の１つの層か複数の層上、あるいは構造91中の１つの層の両側に堆積によって形成することができる。通信回路を含む回路は、様々な組合せで、基板91に搭載されるか、あるいは1つ以上の導電性のパス、半導体デバイスあるいは高分子材料の基板91中の１つ層上に堆積によって形成することができる。基板91上に直接堆積された、導電性、絶縁性、および（または）半導体材料から専らなる回路が同様に使用されてもよい。実際、識別バンド上の回路のどれもを、半導体、導電体および絶縁体から部分的にあるいは全体を作ることができ、米国特許第5,973,598号（その全開示は、すべての目的のために参考としてここに組込まれている）に記述されるように、無機材料または有機材料から作り上げることができる。有機半導体のような有機装置を形成するための典型的な技術は、「印刷技術によって実現された全ポリマー電界効果トランジスター(All-Polymer Field-Effect Transitor Realized by Printing Techniques)」(サイエンス(Science)、265巻、1994年の9月16日)と題名をつけられたガミール（Gamier）らによる記事に記述されている。その全記事は、すべての目的のための参考としここに組込まれている。言いかえれば、識別バンドは、無機または有機とすることができ、識別バンド上に印刷することができる半導体、導電体および絶縁体から部分的にあるいは完全に作られた電子部品を有することができる。米国特許第5,973,598号は複数の有機部品を記述しており、それらのどれも、改良された識別バンドで使用することができる。さらに、有機物質を含んでいるメモリが、米国特許出願第2001000817107番に記述されている。この米国特許出願は、「基板およびメモリが設けられた集積回路、トランスポンダおよびメモリをプログラムする方法(Integrated Circuit Provided with a Substrate and with a Memory, Transponder, and Method of Programming a Memory)」と題され、2001年11月29日に米国フィリップス社に発行されたが、その全体がすべての目的のために参考としてここに組込まれている。識別バンド90の構成要素は、着用するのが快適なように、薄いことが好ましい。さらに、基板91およびプリント構成要素は柔軟であることが望ましい。
【００１６】
さらに、回路が有する任意の実施形態で、図2の回路92は制御論理か処理装置を含む場合があるが、それは、マイクロプロセッサー、マイクロコントローラ、中央処理装置(CPU)、算術論理演算ユニット(ALU)、数値計算コプロセサ、浮動小数点コプロセッサー、グラフィックスコプロセッサー、ハードウェア・コントローラー、コントローラーとして使用するようにプログラムされたプログラム可能論理回路あるいはその他の制御論理とすることができる。回路は、本明細書に記述されるか、または回路設計の分野における当業者に知られている回路のうちの何れかを含むことができる。本明細書に記述された実施形態のいずれかで、回路はさらに任意の種類のメモリのような追加のデータ記憶装置を含むことができる。データ記憶装置またはメモリは、無機材料、有機材料あるいは無機材料と有機材料の組合せから製造することができる。識別バンド90および本明細書に記述された如何なる識別バンドも、2002年3月5日に出願され「識別器具用のマイクロストリップアンテナ(Microstrip Antenna for Identificatino Appliance)」と題された米国特許出願に記述されたマイクロストリップアンテナのようなアンテナを含むことができる。この米国特許出願は、その全開示がすべての目的ために参考としてここに組込まれている。
【００１７】
留め具が閉じる時、留め具の部品93および94は接触して、導電体96および97によって回路92を閉じ、これによって回路機能を作動する。導電体96および97は各々、回路92に接続される2つ以上の別個の導電体を含むことができる。導電体は、さらに1つ以上の導電性ワイヤーあるいはファイバー、導電性の箔、溶解可能な導電体あるいは印刷された導電体から成ることができる。導電体との通信で、導電性接着剤、導電性閉鎖機構、磁気閉鎖機構、導電性リベットまたはステープル、圧着された取り付け具あるいは導電体付近での熱生成結合を含むことができ、これらのいずれもが、電気的接触が設けられた時に、導電体間の電気的接続を可能にするか、または導電体間の容量を変化させ、一つ以上の電気回路を閉じ、例えば、回路92に電力を供給するか、アンテナを接続するか、アンテナを同調するか、回路92に入力される論理状態を変更することができる。
【００１８】
本明細書に記述された実施形態のうちのとれでも使用することができる他の留め具は、基板の重なり部分に、基板を永久的に変形して、重なり部分を結合するステップ、基板内の接着材充填マイクロスペースの壁を破壊し、任意選択的に無線周波数、熱あるいは紫外線照射よって接着剤を硬化するステップ、混合されると固化する接着剤及び触媒が個別に充填された基板内のマイクロスペースの壁を破壊するステップ、または、重なり部分の隣接表面領域をともに溶かすステップの一つ以上を適用することを含み、これが行なわれた時、リストバンドの端部を互いに固定して取り付け、これによって着用者の手首のまわりのリストバンドが閉じられる。本明細書に記述された実施形態のどれでも、留め具は、例えば電気結合、誘導結合、容量結合によって回路を作動することができる。
【００１９】
しかし、別の代案は、ベルト・バックルに似ている手段によって識別バンドを付けることである。例えば、バックルを基板91の一方の端に取り付けることができ、そして、開かれた時に、バンドが調節されて着用者に適応されるように、基板のもう一方の端の自由な移動を可能にする。バックルの設計は、さらに再使用のために着用者から識別バンドを取外することを可能にする。バックルは、識別バンドが閉められる時に回路92を作動させ、かつ識別バンドが解かれるか取り外される時に回路92を停止するための導電体および回路作動手段を含むことができる。バックルは、鉄、銅あるいはアルミニウムの合金を含み、これらに限定されずにバックルにふさわしいと知られているタイプの導電性の金属で作ることができる。バックルは、導電性コーティングがその上にあるポリマーで作ることができる。回路作動手段は、基板91中の2つの別個の電気的な導電体を含むことができる。その各々は、別々に回路92に接続し、バックルを有していない基板の端部に向かって伸びる。バックルが、バックルの移動可能部分と固定部分との間で、基板91を閉じて留める場合、直接接触あるいは容量性ギャップが、各導電体とバックル導電体の間で形式され、あるいは代替的にバックルが、関連する導電性表面を一緒にして、電気回路を閉じて、回路92を活動化する。バックルが開かれ、識別バンドが取り外される場合、各導電体とバックル導電体の間の直接接触か容量性ギャップは壊され、それによって、電気回路が開き、回路92が停止される。
【００２０】
識別バンドの着用はバンドを使用する生活で永続的である場合もあるし、認可された手続きによった一時的且つ無効可能なものである場合がある。一時的着用の場合には、識別バンドが、認可された代理業者か人による認可された手続きか方法を使用して、再度使用されかつ再度着用することができる。
【００２１】
本明細書に記述された識別器具あるいはバンドのどれもが、識別バンドが外部電磁界信号によってエネルギーを与えられるように、電磁エネルギー吸収手段を有することができる。例えば、アンテナが受信信号から電力を得ることができ、この電力を識別器具上の回路のうちのいくつかあるいはすべてに電力を供給するために使用するようにできる。インテロゲイティング（質問）／電力供給信号は、電力信号のみ、または電力信号とこの電力信号に変調された情報の両方を含むことができる。電磁気信号によってエネルギーが与えられる際、識別バンドは、バンド内にプログラムされたか、バンド内に格納されたか、インテロゲイティング／作動装置から受け取られたデータに従った光学的に読取可能な情報を表示することができる。
【００２２】
同様に、本明細書に記述された識別器具のどれでもが、スキャンされたバイオメトリックデータおよび英数字情報のような情報を表示するためのオプションの聴覚的か、視覚的か、知覚的である(例えば、振動する)装置を含むことができる。ディスプレイは、ポリマー発光ダイオード、液晶ディスプレイ(LCD)あるいは共振アンテナとすることができるアンテナに直接接続されたダイオード・コンデンサーとすることができる。ダイオード・コンデンサーの例は、「整流電荷蓄積素子(Rectifying Charge Storage Element)」と題され、2000年11月28日に出願された米国特許出願第09/723,897号中で提供される。この出願がすべての目的のために参考としてここに組込まれている。ダイオード・コンデンサーは、例えば、電流が流れた時に光を放射する発光ポリマーで作られたダイオード・コンデンサーであるLEDICAPを含むことができる。ディスプレイは、常にオンか、識別バンド中の回路によってオンにされるか、外部電磁界信号によって作動されることができる。インテロゲイティング／電力供給電磁気信号が、電力信号とこの電力信号上に変調されたデータを含む場合、ディスプレイは、インテロゲイティングまたは電力場の存在のみを示すか、またはインテロゲイティングまたは電力場で送信されたデータを示すことができる。さらに代替的には、ディスプレイは、識別バンド内の内部データから由来するデータ、識別バンドおよびインテロゲイティング／電力供給場の両方からの情報の組合せ、またはバンドおよび(または)場から由来する情報を示すことができる。
【００２３】
ディスプレイは単一の装置あるいは複数の装置から成ることができる。単一の装置は、英数字、ロゴあるいは他の認識しうるシンボルか、画像を含む任意の形で形成することができる。複数の装置は、あらかじめ決まった文字あるいはシンボルのような様々に異なって認識しうる視覚的な出力を作成するマトリックス(アドレス可能な行/列)あるいは別の組合せに作ることができる。ディスプレイはピクセルアレイに基づくことができる。ディスプレイは、識別バンドの基板に形成されたか、基板に付けられた柔軟なディスプレイとすることができる。ディスプレイは、電気泳動技術、強誘電体技術、コレステリック技術のような反射技術、または有機LED(OLED)、PDLC(反射モード高分子分散型液晶ディスプレイ)プラズマあるいはコレステリックネマチック(パッシブマトリクス方式LCD)技術のような放射技術から作ることができる。反射ディスプレイはバンドに付けることができるし、識別バンド上に形成することができる。反射ディスプレイは、電力が供給される時のみに光出力を発生する揮発性、または電力が除去された後もその光学状態を保持する不揮発性の何れかとすることができる。不揮発性ディスプレイは、ライトワンス（一度のみ書き込み可）あるいは再プログラム可能であるものとすることができる。ディスプレイは、人または機械によるイメージ・データのような光学的読取可能な情報、あるいは電気光学受信機によって遠隔にデコードすることができる時間変化変調光学信号(例えば発光ダイオードあるいは合成有機発光装置からの信号)を提供することができる。
【００２４】
本明細書に記述された識別器具あるいはバンドのどれもが、識別バンド内にプログラムされたか、または格納された情報が既知の何れかの変調技術を使用して、変調信号として光学的に送信されるように、光情報伝送手段をオプションで含むことができる。そのような光学装置はシリコン、有機またはポリマー発光ダイオード(LED)を含むことができる。
【００２５】
図3は、改良された固定識別バンド90の別の実施形態を図示する。バンド90は、バンドが裂かれるか、切断されるか、あるいは過度に伸ばされる場合、通信またはRFID機能のようなある機能を開き動作不能にする回路92を有している。バンド200は、少なくとも1つの基板91、回路92、部分93および94を備えた留め具、調節穴95、および回路92で閉回路を形成する導電体99を含む。バンド90が裂かれるか、切断されるか、あるいは過度に伸ばされる場合、導電体99は破損し、回路を開いて回路機能を不能にする。導電体99は、基板91中の電気的な相互連結のパターンからなることができ、このパターンの導電体は導電性ワイヤーかファイバー、導電性の箔、有機導電体、あるいは印刷された導電体の1つ以上を含むことができる。バンド90が裂かれるか、切断されるか、あるいは過度に伸ばされる場合、導電体99は切断されるか壊され、回路92の部分を分離して、回路92の電源を切り、アンテナを分離し、アンテナを離調し、または回路92への1つ以上の論理入力を変更する。
【００２６】
代替的に、基板および基板内の電気的相互連結よりも強い基板91の中の非導電性のファイバーのパターンを使用することにより、回路機能を動作不能にすることができる。バンド90が伸ばされるかねじられる場合、ファイバーは基板91を裂き基板中の電気回路を破裂し、例えば、回路92中のデータ記憶装置、回路92中のデータ伝送装置、回路92中の他のある回路あるいは全回路92を破壊するか、動作不能にする。この代替アプローチは、本明細書に記述された他の実施形態のどれでも実施することができる。
【００２７】
図4は、改良された固定識別バンド90の別の実施形態を図示する。バンド90は、バンド90が閉められる時に閉じて或る回路機能を作動し、そして、バンド90が解かれるか、裂かれるか、切断されるか、あるいは過度に伸ばされる時に開いて或る回路機能を作動不能にする回路92を有している。図4で示されるように、バンド90は、基板91、回路92、部分93および94を備えた留め具、調節穴95、および各留め具部品93および94に回路92を接続する導電体96および97を含む。好適には、留め具は、留められた時に電気回路を閉じるかあるいは電気的な接続を行なう。代替的に、留め具は導電性とすることができる。留め具が閉じる時、留め具の部品93および94は接触し、それによって、導電体96および97によって回路92を閉じて、回路機能を作動する。バンド90が解かれるか、裂かれるか、切断されるか、あるいは過度に伸ばされ、導電体96あるいは97が破損される場合、回路は開き或るあるいは全ての回路機能を作動不能にする。導電体96および97は、回路92に接続される2つ以上の別個の導電体を含むことができ、この導電体は、導電性のワイヤーあるいはファイバー、導電性箔、溶解可能な導電体あるいは印刷された導電体の1つ以上から成る。導電体と通信することができる留め具は、導電性接着剤、導電性閉鎖機構、磁気閉鎖機構、導電性のリベットまたはステープル、圧着あるいは導電体付近での熱生成結合の1つ以上から成ることができる。これらのいずれもが、適用された時に、電気的に導電体を接続するか、導電体間での電気的な接続を可能にするか、導電体間の容量に変更し、1つ以上の電気回路を閉じ、例えば、回路92に電力を供給するか、アンテナを接続するか、アンテナを同調するか、回路92への論理入力を変更することができる。電気的な回路が、バンド90を解くか、伸ばすか、あるいは切断することにより開かれる時、回路92の部分が分離され、回路92の部分あるいはすべてへの電源を切るか、アンテナを分離するか、アンテナを離調するか、あるいは回路92への論理入力を変更することができる。上述されたように、回路機能は、基板91および基板中の電気的相互連結よりも強い非導電性のファイバーのパターンを基板91中で使用することにより代替的に作動不能にすることができる。バンド90が過度に伸ばされるかねじられる場合、ファイバーは基板91を裂くか変形し、基板内の電気回路を破壊し、回路92中のデータ記憶装置、回路92中のデータ伝送装置、回路92中の他の回路、あるいは全回路92を破壊する。
【００２８】
図5は、開放により放出されるインクか染料を含む改良された固定識別バンドの実施形態を図示する。図5で示されたように、例示バンド90は、基板91、回路92、部分93および94を備えた留め具、調節穴95、およびバンド90が裂かれるか、切断されるか、あるいは過度に伸ばされた場合に放出されるインクか染料を含んでいる容器98を含む。インクを放出する手段は、バンド90中のインクで一杯のスペース98、およびインクで一杯のスペース98に隣接しているバンド90中の空所を含む。バンド90が過度に伸ばされるか、ねじられるか、裂かれるか、あるいは切断される場合、インクで一杯のスペース98と隣接した空所の間の壁が破壊し、空所へインクが漏れ、明白にバンド90が変色される。代替的には、インクで一杯のスペース98とバンド90の外面の間の壁が破壊される。さらに、インクか染料は、機械(例えば電子化学的検出器)あるいは犬または人のような動物によって知覚可能な化学エアゾールか匂いを含むことができる。
【００２９】
代替的に、上述されたように、識別バンドはベルト・バックルに似ている手段によって付けることができる。例えば、バックルは基板91の一方の端部へ取り付けることができ、このバックルは、開かれた時に、バンドが調節されて着用者に適応するように基板のもう一方の端部への自由な移動を許可する。バックル設計は、さらに再使用のために着用者からの識別バンドを取り外すことを可能にする。バックルか染料タックが不正開放にさらされる場合、バックルと連絡する染料タックは染料を放出する。染料かインクタックは小売り窃盗制止に使用されるものと似ているかもしれなく、特別のツールでのみ完全に除去することができ、染料タックの一部が、閉じたバックルの一部の上あるいはその部分のまわりに近づくようなやり方で取り付けられる。バックルを開くかあるいは識別バンドから染料タックを取り除く無許可の試みがなされる場合、染料タックの中の染料で一杯の瓶が壊されて、染料が漏れて、識別バンドを変色させるか、あるいはバックルか染料タックをいじくっている人の皮膚に目印を付ける。やはり、動物、人あるいは機械で検知できるエアゾール化学薬品か匂いが染料タックに含むことができる。
【００３０】
図6は、付けられた時に、可視および電子的形態の両方で識別パターンを作成する改良された識別バンド700の更なる別の実施形態を図示する。図6で示されるように、例示の改良された識別バンド700は、回路710および回路710からの導電体対720が接続725で終了していることを示す拡大部分を有する識別エリア715を有する基板705を含む。識別バンド700を付けるために、第１の端部730が第2の端部735上に設置され、穴740が整列マーク735の助けによってエリア715を貫通パンチされるか、または、エンボス加工され、これによって、オーバーラップした端部を縫い合わせ、可視パターンを形成し、そして導電体720の特定の対または任意の対を接続かつ／または分離して、接続されかつ／または分離される対を有する回路を形成して、パターンに対応して回路710への論理状態入力を設定する。実施形態のどれもが、人、物体あるいは実在物の同一性（アイデンティティ）をエンコードすることが、その同一性に対応する数字、シンボルあるいは文字の配置、バーコードあるいは1つ以上の図の配列からなるユニークなパターンを形成することを含む。人、物体、実在物の可視的識別の形成は、次のステップ：インクで色づけることを含むエンボスを形成すること、基板中の無色材料を有色になるように活性化すること;混合または固化された時に有色になるように基板中の無色の接着剤および触媒を活性化すること;そして可視のパターンを作るために加えられた圧力あるいは熱に敏感な材料または接着剤と触媒を使用することの1つ以上を含むことができる。追加的に、エンボス加工されたパターンは、その輪郭だけによって可視的とすることができる。機械的な固定装置に識別パターンを設けることは、パターンを機械的に、電気的にあるいは熱により、彫るか、切断するか、圧力を加えるか、エンボス加工するかの1つ以上を含む。そのようなバンド700の使用例では、数「3」のような着用者の人物証明レベルに対応する数あるいは公印を、取付の時に加えることができる。したがって、その人物証明の可視表示、および形成された電気回路に基づき回路710によって送信される電子インジケータは、安全領域への、あるいは機密扱いの情報へのアクセスの制御に利用可能である。
【００３１】
識別バンドに格納されたデータは、どのような種類の情報も含むことができる。例えば、データは識別（同一性）データ、金融取引データあるいは医療データを含むことができる。いずれのデータも、データが識別バンドに格納される前に暗号化することができ。同じパターンおよび関連情報を有するバンドを、人および1セットの手荷物に付けることができ、パターンは人および航空便の両方を識別し、その結果、フライトに対して識別された人および手荷物だけが、航空機で許可され、人は、その同じパターンのバンドを有する手荷物のみを引き取ることができる。
【００３２】
本明細書に記述された実施形態のいずれの代替例も、識別バンドに2つ以上の識別子(同一性)を関連させる。例えば、第1の識別パターンおよび第2の識別パターンを、識別バンドに記憶または格納することができる。第１と第2の識別パターンは、異なる方法で明示することができる。例として、第１の識別パターンは可視の第1の識別を形成し、第2の識別パターンは、識別バンド中のデータ記憶装置中に電気データを形成する。さらに、第1と第2の識別パターンは人が同じか異なるかを識別するために使用することができる。例えば、第1の識別パターンは、識別バンドを分配するか取り付ける人に関係することができ、第2の識別パターンは、識別バンドの着用者に関係することができる。
【００３３】
バッテリーか電源を、メモリ、論理、回路あるいはその有用な動作にとって不可欠な識別バンドの他の機能に電力を供給するために設けることができる。記述された任意の実施形態の識別バンドに記憶された情報のセキュリティを保護するために、識別バンドは、所定時間期間に、またはその期間内に、あるいは或るカレンダー日/時間に電力が使い果たされるバッテリー、あるいはその作動を止めるか、所定時間期間に、またはその期間内に、あるいは或るカレンダー日/時間に記憶情報を消す回路を有することができる。電池寿命を尽きさせるために、回路は、バッテリーに固定負荷を課すること、またはバッテリーにプログラム可能な負荷を課することができ、あるいは、タイマーの終了際に、バッテリーに負荷を課することができる。代替的に、識別バンドは、データが、適切な設備、パスワード無しおよび/または識別データと情報へのアクセスを獲得しようとするユーザとが一致することなしにはアクセス可能ではないように、メモリようなデータ記憶装置に格納されたデータするロック・モードを有することができる。
【００３４】
図7は、バイオメトリック情報を記憶する改良された識別バンドの実施形態を図示する。図7で示されるように、改良されたバンド1000は、回路1010を有する基板1005、部分1015および1020を備えた留め具、調節穴1025、不揮発性メモリーであることが好ましいデータ記憶装置1030、データ記憶装置1030に記憶されるバイオメトリック情報を得るためのジャックまたは電気的接触子1035から成る。一例としてデータ記憶装置を有することができる本明細書に記述した任意の実施形態で、データ記憶装置1030は、ランダム・アクセス・メモリー(RAM)、読出専用メモリ(ROM)、プログラマブル読出専用メモリ(PROM)、電気的に消去できるPROM(EEPROM)、有機的なPROM、有機的なRAM、アンチヒューズ・ヒューズPROM、紫外線消去できるPROM(UVPROM)、固定ディスクメディア、フレキシブルディスクメディア、フラッシュ・メモリー、テープあるいは他の記憶検索手段、あるいはこれらの揮発性、不揮発性のメモリ手段の任意の組合せとすることができる。
【００３５】
データ記憶装置またはメモリは、本明細書に記述されたか、またはこのような装置の当業者に既知のデータ記憶装置あるいはメモリのいずれをも含むことができる。さらに、本明細書に記述された任意の実施形態で、データ記憶装置あるいはメモリは、さらに読出のみ、読出及び書込、または書込のみを可能にすることができる。
【００３６】
さらに、任意の実施形態で、データ記憶装置は外部データベースに格納された情報へのリンクかアドレスを格納することができる。この外部データベースは、コンピューター、ホストシステムあるいは無線ネットワークのような外部システムに常駐することができ、好適には、インターネットによってアクセスすることができる。そのような場合では、識別器具は、データベース中の情報へのリンクかアドレスを送信し、受信装置は受取の時に、データベースにアクセスし、実際の情報を検索する。これは、データ記憶装置が、より少ない情報を局所的に記憶することを許可し、転送される情報量を犠牲にしないで、識別器具をより小さく、より薄くすることを可能にする。一例として、データベースは、識別器具の認可された持ち手の全病歴を記憶することができ、その病歴は病院のコンピューター上に記憶することができるし、病院がそれを更新することもできる。したがって、病歴へのポインターあるいはリンクの提供によって、情報が最も最近のバージョンになり、また、必要ならば、他人が情報を加え、削除し、そうでなければ修正することができる。別の例において、データベースは、識別器具の認可された持ち手のディジタル化された指紋データを格納することができる。データベースは、識別器具上に容易に置くことができない大量の記憶スペースを要求することができる。
【００３７】
図7の中で示された改良されたバンドの使用の例として、バンド1000の着用者1040への装着の時に、着用者1040はCCDカメラ1045によってスキャンされる。このCCDカメラ1045は、エンコーダ1050と通信し、エンコーダ1050は、画像信号をエンコードされたイメージ・データに変換し、ケーブル1055、ジャック1035に挿入された除去可能なプラグ1060およびデータ記憶装置1030を通してそのデータを送信する。バンド1000取付およびバンド内へのイメージ・データの記憶の後、プラグ1060はジャック1035から分離され、着用者1040は自由に動き回ることができる。着用者1040の同一性を後で確認するために、イメージ・データは、回路1010によって、RFIDリーダのようなリーダ1065に送信され、デコードされ、可視イメージ1070にされ、その後着用者1040の実際の外観と比較される。
【００３８】
オプション的に、着用者1040のバイオロジカル(生物学)特性は、電流、電界または磁界あるいは電磁波により、バンド1000上のデータ記憶装置1030にエンコードされたバイオメトリックデータを転送することによって、バンド1000内へ格納することができる。例えば、バイオメトリックデータは着用者の指紋、網膜、虹彩、顔、DNA、着用者の遺伝子配列か遺伝子の部分のような遺伝データあるいは着用者の音声の時間領域レスポンスか、周波数領域レスポンスに関するデータ、あるいは着用者の匂い、血液あるいは呼吸の生化学分析についての如何なるイメージも含むことができる。他の応用では、バイオメトリックデータは、署名、筆跡力学を加えた署名、虹彩、網膜、顔認識、声紋、声紋および音声ストレス、指紋、他の皮膚パターン、化学的サイン(例えば匂い、血液、汗)、DNA、遺伝データあるいは或る電気的、磁気的、聴覚的、または他のバイオメトリック特性と関係することができる。代替的に、バイオメトリックセンサーは、識別以外の他の目的のために着用者に関するデータを供給することができる。例えば、バイオメトリックセンサーを、着用者の脈搏数、心臓電気信号、血圧、インシュリン・レベル、温度およびその他同種のもの、をモニターするか検知するために、識別器具に組み入れることができる。そのようなバイオメトリックデータは他の装置に(病院でのコンピューターをモニターするように)絶えず、間欠的にあるいは警戒条件時に送信することができる。バイオメトリックセンサーは、データ記憶装置、通信回路、光データディスプレイあるいは識別バンドの他の構成要素に接続することができる。バイオメトリックデータはエンコードされ、前もって定義したデータ・テンプレートによるデータフォーマットに変換され、識別器具上のデータ記憶装置に格納することができる。識別器具の着用者の同一性を確認するために、格納されたバイオメトリックデータと着用者のバイオメトリックデータを比較する任意の既知の方法を使用することができる。例えば、1つの方法は一致の確率を決定することができる。そのような方法の例として、XOR(「排他的論理和」)操作を、記憶されているバイオメトリックデータおよび着用者の現在のバイオメトリックデータ上で行ない、同一でない第１と第2のデータ集合中のアイテムを示す第3のデータ集合を作り出すことができる。同一でないアイテムの数がより大きいと、着用者は、識別バンドに格納されているエンコードされたバイオメトリックデータに関する人ではない確率が高いことを示し、この数は、このような確率の所定の種々のレベル(例えば高い、中間あるいは低い)がその上に存在する閾値と比較することができる。対応するバイオロジカル的特徴に従って、同一性検証の全体的な確実性に関する影響に比例してデータアイテムに重みを加えることができる。例えば、指紋データには虹彩データより高い重みを与えられるかもしれない。データ比較の結果は、見込みに関しての人の判断にふさわしいやり方で表示することができる。
【００３９】
図8は、バイオメトリック情報および英数字の情報が格納される改良された識別バンド1200の別の実施形態を示す。図8の中で示されるように、改良されたバンド1200は、RFID回路1210、部分1215および1220を備えた留め具、調節穴1225、できれば不揮発性メモリーであるデータ記憶装置1230、およびデータ記憶装置1230に格納されるエンコードされた情報を得るためのジャック1235を有する基板1205を含む。ジャック1235内のレセプタクルの第１の組は、バイオメトリック情報のために取っておかれるデータ記憶装置1230中の第１の領域に連絡する。また、レセプタクルの第２の組は、英数字の情報のために取っておかれるデータ記憶装置1230中の別の領域に連絡する。ジャック1235は一度に単に1つのプラグ、あるいは２つ以上のプラグを受け入れるように形成できる。
【００４０】
図８で示される改良されたバンド1200の使用の例として、着用者1240へのバンド1200の装着時に、着用者1240は、エンコーダ1250と通信するCCDカメラ1245によってスキャンされる。エンコーダ1250は、画像信号をエンコードされたイメージ・データに変換し、そのデータを、第１のケーブル1255、およびジャック1235内のレセプタクルの最初の組に挿入されるピン1262を有する第１の除去可能なプラグ1260を通し、バイオメトリック情報のために取って置いたデータ記憶装置1230のエリアへ送信する。続いて、着用者1240は暗証番号(「PIN」)1265を、図8で示されるように、キーパッド・エンコーダ1270への「5612」として入力する。キーパッド・エンコーダは、PINシーケンス1265をエンコードされた英数字データへ変換し、そのデータを、第２のケーブル1275、ジャック1235内のレセプタクルの第2の組へ挿入されるピン1282を有する第２の除去可能なプラグ1280を介して、英数字の情報のために取って置かれたデータ記憶装置1230の領域へ送信する。着用者1240へのバンド1200の装着、イメージとPINのデータのバンド内への記憶、そしてジャック1235からのプラグ1260および1280の除去の後に、着用者は自由に動き回ることができる。後で着用者の同一性を確認するために、イメージとPINデータは、RFIDリーダのようなリーダ1285に回路1210によって送信され、ビデオスクリーン1290上で見ることができるイメージおよび英数字データにデコードされ、翻訳される。その後、検証を行う人、機械あるいは認可された代理業者は、見られたイメージを着用者の実際の外観と比較することができ、追加的なセキュリティのために、見られたPINを着用者によって通信されたPINと比較することができる。オプション的に、或る信号によって、PINが一致したかどうか示すことができる。ジャックへの電気的な接続の代わりに、RFIDタグの中で使用されるもののような電磁結合によって接続された回路をデータを転送するために使用することができる。この方法は、識別バンドの回路との物理的な接触を要求しない。
【００４１】
図9は、改良された識別バンドの実施形態を図示する。この識別バンドはバイオメトリックおよび英数字情報を格納し、その回路機能は、バンドが付けられる時に活動化され、バンドが解かれるか、裂かれるか、切断されるか、あるいは過度に伸ばされる場合に、非活動化される。図9で示されるように、改良されたバンド1400は、回路1410、部分1415および1420を備えた導電性の留め具、調節穴1425、回路1410中のできれば不揮発性メモリーであるデータ記憶装置1430およびデータ記憶装置1430に格納されるエンコードされたバイオメトリックおよび英数字の情報を得るためのジャック1435を持っている基板1405を含む。代替的に、データは、RF波を通じてのように電磁結合によって、図7-9のデータ記憶装置へプログラムされることができる。導電体1440および1445は回路1410を各留め具部品1415および1420に接続する。留め具が閉じる時、留め具の部品1415および1420は接触し、導電体1440および1445によって回路を閉じ、回路機能を作動可能にし、格納されたデータを回路1410によって送信のために利用可能にする。バンド1400が解かれるか、裂かれるか、切断されるか、あるいは過度に伸ばされる時、導電体1440あるいは1445は破損し、回路が開き、何らかあるいはすべての回路機能を作動不能にする。オプション的に、回路が開くことが、回路にメモリ1430に格納された如何なるデータも変更させるかまたは破壊させることができる。バンド1400が再び取り付けられ、導電体1440および1445によって再び回路を閉じて、回路機能を作動可能にする場合、元々格納されていたデータは変更され、送信にもはや利用可能ではなくなる。
【００４２】
図10は、空港、波止場、列車駅、バス停およびその他同種のような場所で、乗客に切符を発行し且つ搭乗手続きを行うための改良された識別バンドを使用する一方法を示す図。図10で示されるように、乗客1510がチケット・カウンターでチェックインする時、切符情報1520、および例えばCCDカメラ1530および(または)他の識別データからの乗客1510のイメージは、バンド1540上の好ましくは不揮発性メモリーであるデータ記憶装置に格納される。その後、バンド1540は、乗客1510の手首1550に付けられる。バンド1540は、バンドが何らかの不正開放あるいは取外しを検知する場合、格納されたデータが変更されるか破壊されるタイプであるのが好ましい。バンド1540は乗客切符および搭乗券として機能する。乗客1510が搭乗しようとする時に、手首1550のバンド1540のデータ記憶装置中に格納されたデータは、リーダ1560に送信され、デコードされ、そして自動的にあるいは人がビデオスクリーン1570上のデータを見るのいずれかによって、乗客1510の同一性および適切な切符を有していることを確認することができるようにされる。
【００４３】
図11は、改良された識別バンドを旅客手荷物タグ付けおよび引取りに使用する一方法を示す図。出発時に、複数の識別バンド1610が、エンコードされた乗客イメージあるいは他の識別データおよび切符情報が格納されて準備される。識別バンドの1つは手荷物受取りレシートとして乗客の手首1620に付けられ、それらの残りは、荷物の付け札として乗客の手荷物アイテム1630に付けられる。目的地ターミナルの手荷物引取所では、手首1620および手荷物アイテム1630の識別バンド1610中に格納されたデータは、リーダ1640に送信され、デコードされ、自動的にあるいは人がビデオスクリーン1650上のデータを見ることによって確認され、その結果、手荷物アイテム1630を、両バンド１６１０が互いに一致していることにより適切に引き取ることができるようにすることができる。
【００４４】
図12は、バイオメトリックデータを印刷した、識別バンドのような改良された識別器具の一実施形態を示す図。例示の識別器具は伸張バンド10、バンド・留め具12、およびバンド・留め具12と係合する、係合バンド・留め具14を有する。識別器具は印刷情報16および肖像18、あるいは指紋20を有することができる。
【００４５】
図13は、印刷されたバイオメトリックデータを有する、識別バンドのような改良された識別器具の別の実施形態を示す図。例示識別器具は伸張バンド、バンド・留め具26、およびバンド・留め具26と係合する係合バンド・留め具28を有する。伸張バンドは頂部ラミネート22および底部ラミネート24を含むことができる。シリコンおよび(または)プリント回路構成要素30はラミネート22、24の間にはさむことができる。識別器具は、その表面のどこかにバイオメトリック情報32を印刷することができる。
【００４６】
図14は、バイオメトリックセンサーを有する、識別バンドのような改良された識別器具の一実施形態を示す図。例示識別器具は伸張バンド34、バンド・留め具36、およびバンド・留め具36と係合する係合バンド・留め具38を有している。本明細書に記述された実施形態のうちのどれでも、シリコンおよび(または)プリント回路構成要素40が、伸張バンド34内あるいはその上に、埋め込むか、印刷されるか、その他の方法で配置されることができる。識別器具はバイオメトリックセンサー42を含むことができる。バイオメトリックセンサー42は人の指紋、虹彩、網膜あるいは他の識別バイオメトリック特徴をスキャンするか他の方法で、回路40にバイオメトリック情報を供給することができる。光学装置から構築されたそのようなバイオメトリックセンサーの例は、以下のとおりである。光学装置は、発光装置および半透明な光検出素子を含む階層構造を含むことができ、半透明な光検出装置は、階層状装置上に置かれた物体の光反射測定を行うことができる。これらの光学装置の使用によって、指紋の反射による署名を照らし、測定し、そして記録することができる。光学装置は、光波長の存在か不存在、光波長の強度、あるいは時間変化光信号搬送情報を検出する単一の装置とすることができる。代替的に、光学装置は、直線的あるいは二次元配列のセンサーを含む、複数の検知装置を含むことができる。光学装置は、非可視の(つまり赤外線あるいは紫外線の)光入力素子、光出力素子あるいはパワー変換素子を含むことができる。記述された実施形態のどれかで、バイオメトリックセンサーは、光センサー、熱センサー、圧力センサー、湿度センサー、化学センサー、電磁気センサーあるいは音響センサーとすることができる。バイオメトリックセンサーは、マトリックス(行/列アドレス可能)あるいは他の空間的に分配された要素のパターンに形成することができる複数の装置とすることができる。回路40は、アンテナ回路、信号発生器回路、通信回路、プログラム可能なエンコーダ回路および相互連結回路のような他の回路を含み、バイオメトリックセンサー42を制御しかつ情報を交換するように適応されることが好ましい。バイオメトリックセンサー42のための回路は、シリコン、有機物質あるいは他の薄い材料で作ることができる。さらに、バイオメトリック情報44をバンド34上に印刷することができる。その後、回路40は、スキャンされたバイオメトリックデータを格納されたバイオメトリックデータと比較して、それらの相関を決定することができる。本明細書に記述された実施形態のどれかで、識別器具は、相関か一致が存在するかどうか示す聴覚的、視覚的、あるいは知覚的(例えば、振動する)装置を含むことができる。本明細書に記述された任意の実施形態で、オプションのアンテナ、電子データ記憶装置またはメモリ、バッテリーまたは電源、ディスプレイおよび(または)印刷されたバイオメトリックまたは英数字情報も、同様に含むことができる。
【００４７】
図15は、バイオメトリックセンサーおよびRFID回路のような無線通信回路を有する、識別バンドのような改良された識別器具の別の実施形態を示す図である。無線通信回路は、「Bluetoothのような無線通信ネットワークと通信する着用可能な識別器具（Wearable Identification Application That Communications With A Wireless Communication Network Such As Blueooth）」と題される同時に出願された米国特許出願に記述される、Bluetooth互換性のような特徴のうちの何かを組込むことができる。この米国特許出願の全体が、すべての目的のために参考としてここに組込まれている。例示識別器具は、伸張バンド46、バンド・留め具48、バンド・留め具48と係合する係合バンド・留め具50、伸張バンド46内またはその上に、埋め込まれるか、印刷されるか、その他の方法で配置することができるシリコンあるいはプリント回路構成要素56、あるいはバンド46に埋め込まれるか、あるいは付けることができるRFIDアンテナのような通信アンテナ52、バイオメトリックセンサー54、およびバンド46上に印刷されたバイオメトリック情報58を有する。本明細書での実施形態のどれかで、バイオメトリックセンサー54は、人の指紋、虹彩、網膜、音声あるいは他の識別バイオメトリック特徴をスキャンすることができる。もちろん、もし望まれれば、２つ以上のバイオメトリックセンサーをもけることができる。バイオメトリックセンサー54は、伸張バンド46、識別バンドを人に固定するために使用される固定構造あるいはその両方に配置することができる。
【００４８】
図16は、バイオメトリックセンサー、RFID回路のような無線通信回路、および電子メモリかデータ記憶装置を有している識別バンドのような改良された識別器具の一実施形態を示す図。例示識別器具は、伸張バンド60、バンド・留め具62、バンド・留め具62と係合する係合バンド留め具64、伸張バンド60の中またはその上に埋め込まれるか、印刷されるか、あるいは、その他の方法で配置されるシリコンおよび（または）印刷回路構成要素74、バンド60に埋め込まれるか、付けられることができるRFIDアンテナのような通信アンテナ68、バイオメトリックセンサー70、電子メモリ72、および、バンド60上に印刷された印刷バイオメトリック情報66を有する。回路74は、アンテナ回路、信号発生器回路、通信回路、プログラム可能なエンコーダ回路および相互連結回路のような他の回路を含み、バイオメトリックセンサー70および電子メモリまたはデータ記憶装置72を制御しかつ相互に情報を通信するように適応されるのが好ましい。本明細書に記述された任意の実施形態で、データ記憶装置72はどんな種類のメモリまたはデータ記憶装置であっても良い。バイオメトリックセンサー70は人の指紋、虹彩、網膜、音声あるいは他の識別バイオメトリック特徴をスキャンすることができる。もちろん、必要ならば、２個以上のバイオメトリックセンサーを設けることができる。その後、回路74は、スキャンされたバイオメトリックデータを、データ記憶装置72に格納されたバイオメトリックデータと比較して、それらが一致するかどうか確かめることができる。識別器具は、バイオメトリックデータを表示しかつ、または一致が存在するかどうか示すための聴覚的、視覚的、または知覚的(例えば、振動)装置を含むことができ、それらの装置はオプションとしてリモートセンサーまたはディスプレイの装置に遠隔にデータを伝えることができる。そのようなディスプレイは、本明細書に記述されたか、ディスプレイの分野の当業者に既知である何らかのディスプレイとすることができる。
【００４９】
図17はバイオメトリックセンサー82またはディスプレイ88を有する識別バンドのような改良された識別器具の別の実施形態を図示する。図17の識別器具は、図17が特にディスプレイ88を特に図示している以外は図16のそれに似ている。例示の識別器具は伸張バンド76、バンド・留め具78、バンド・留め具78と係合するバンド・留め具80、バンド76に埋め込まれるか、または付けられるRFIDアンテナのような通信アンテナ86およびバイオメトリックセンサー82を有している。識別器具は、伸張バンド76あるいはその様々な層内またはその上に、埋め込まれるか、印刷されるか、他の方法で配置することができるシリコンおよび(または)プリント回路構成要素84を有している。バイオメトリックセンサー82は人の指紋、虹彩、網膜、音声あるいは他の識別バイオメトリック特徴を検出またはスキャンすることができる。その後、回路84は、スキャンされたバイオメトリックデータを、データ記憶装置に格納されたバイオメトリックデータと比較して、それらが一致するかどうかを決めることができる。ディスプレイ88はバイオメトリックまたは他のデータを表示し、および（または）、聴覚的、視覚的か、あるいは知覚的(例えば、振動)装置によってのように人に知覚可能なやり方で一致が存在するかどうか示すことができる。オプションのアンテナ、電子データ記憶装置またはメモリ、音響センサー、化学センサー、光学センサー、熱センサー、圧力センサー、湿度センサー、電磁気センサー、柔軟なキーパッド、バッテリーまたは電源および(または)印刷されたバイオメトリックまたは英数字情報を同様に含むことができる。本明細書に記述された実施形態のどれでも、これらのオプション機器とセンサーが、伸張バンド、識別バンドを人に固定するのに使用される固定構造、または両方内に配置することかできる。
【００５０】
図18は、光電池を有する識別バンドのような改良された識別器具の一実施形態を示す図である。例示識別器具は、伸張バンド100、バンド・留め具102、バンド・留め具102と係合する係合バンド・留め具104、伸張バンド100内または上に埋め込まれるか、印刷されるか、その他の方法で配置されたシリコンまたはプリント回路構成要素106、および1個以上の光電池108を有している。光電池108は回路106に電力を与え、オプション的に光源からのデータ信号のような情報を回路106に供給する。光電電力を発生するために、(シリコン、アモルファス・シリコンあるいは有機物質から作られた)フォトダイオードあるいはフォトダイオードアレイを、識別バンドに付けるか、あるいはその上に形成することができる。フォトダイオードは、バンド上の回路に電力を供給するかあるいは、バンドに付けられるか、あるいはバンド内または上に形成されたバッテリーを充電するための電力を生成することができる。フォトダイオードは、さらに、識別バンドへの情報入力用の信号入力変換器として機能することができ、その情報は、情報内容によって変調された光源によって識別バンドに送信することができる。本明細書に記述された任意の実施形態で、オプションのアンテナ、電子データ記憶装置あるいはメモリ、バイオメトリックセンサー、音響センサー、化学センサー、光センサー、熱センサー、圧力センサー、湿度センサー、電磁気センサー、柔軟なキーパッド、バッテリーまたは電源、ディスプレイ、または、印刷したバイオメトリックまたは英数字情報を、同様に含むことができる。
【００５１】
図19は、埋め込まれた回路およびマイクロストリップまたはパッチアンテナを有する、識別バンドのような改良された識別器具の一実施形態を示す図である。例示の識別器具は伸張バンド110、バンド・留め具112、バンド・留め具112と係合する係合バンド・留め具114、伸張バント中あるいはその上に、埋め込まれ、印刷され、あるいは、他の方法で置かれたシリコンおよび(または)プリント回路構成要素118、印刷したバイオメトリック情報116、およびマイクロストリップまたはパッチアンテナ120を有している。単一導電体または複数の導電体119を、バンド110の長さに伸びて回路118に接続することができる。導電体は、バンドが不正開放される時に破壊され、オプション的にこのことを回路に通知する。マイクロアンテナ120は、2002年3月5日に出願され、「識別器具用のマイクロストリップアンテナ」と題される同時継続米国特許出願に記述したいずれのものともすることができる。上記出願の全体がすべての目的のために参考として組込まれている。そのようなマイクロストリップアンテナは、放射エネルギーを着用者から遠ざかる方向でより方向づけて、識別器具の送信範囲を改良しかつ健康上の理由で着用者に向けられるエネルギーを減少するような或る利点を提供する。マイクロストリップアンテナは、本明細書に記述したいずれの実施形態に加えることも、あるいは削除することもできる。
【００５２】
図20は、信号処理と計算を行ない、電子データ記憶装置あるいはメモリを有する、識別バンドのような改良された識別器具の一実施形態を示す図である。例示識別器具は、伸張バンド122、バンド・留め具124、バンド・留め具124と係合する係合バンド・留め具126、伸張バンド122の中または上に埋め込まれ、印刷され、あるいは、他の方法で置かれたシリコンおよび（または）プリント回路構成要素132、印刷したバイオメトリック情報128、アンテナ130、および電子データ記憶装置またはメモリ134を有している。回路132は、必要なら、信号送信回路、信号受信回路、データ処理回路および計算回路を含むことができる。この例において、回路132、データ記憶装置134およびアンテナ130は、本体122の内部基板と印刷情報128を搬送する構造との間に挟まれます。
【００５３】
図21は、1つ以上の化学センサー144を有する、識別バンドのような改良された識別器具の一実施形態を示す図である。例示識別器具は、伸張バンド136、バンド・留め具138、バンド・留め具138と係合する係合バンド・留め具140、伸張バンド136の中あるいは上に埋め込まれ、印刷され、あるいは、他の方法で置かれたシリコンおよび(または)プリント回路構成要素142、およびアンテナ143を有することができる。さらにオプションのアンテナ、電子データ記憶装置あるいはメモリ、バイオメトリックセンサー、音響センサー、光センサー、熱センサー、圧力センサー、湿度センサー、電磁気センサー、柔軟なキーパッド、バッテリーまたは電源、ディスプレイおよび(または)印刷されたバンオメトリックまたは英数字情報を含むことができる。化学センサーはどんな種類の化学センサーであることができる。例えば、それは、温度、汗内容およびフェロモンのような人の生理学的属性を検出することができる。
【００５４】
図22は、音響変換器164を有する、識別バンドのような改良された識別器具の一実施形態を示す図面である。もちろん、必要であれば、複数の音響変換器を備えることができる。音響センサーは、音声入力または出力用のオーディオ変換器を含むことができる。
【００５５】
着用者からのスピーチのような音声信号は、既知の技術によって変換され処理され、遠隔のリスナーに識別器具中の通信回路によって送信することができる。同様に、音声信号は遠隔の送信機から無線通信によって識別器具によって受信され、着用者に聞こえるように処理しかつ変換することができる。識別器具は、さらにスピーチ認識を処理するか、または合成されたスピーチを出力するための既知のアルゴリズムを有することができる。音響センサー164は、音波を検知する圧電変換器を含むことができる。他のタイプの音響センサーが使用されてもよい。音響情報は、回路162によって処理することができる。その回路は、それは任意の既知の音声反応性あるいはスピーチ認識アルゴリズムを含むことができる。さらに、器具は、ユーザが遠隔のユニットと双方向通信を行うことを可能でき、または、ユーザのスピーチからバイオメトリックデータ(ユーザをユニークに識別するスピーチ・パターンのようなもの)を引き出すための回路またはアルゴリズムを有することができる。例示識別器具は伸張バンド154、バンド・留め具156、バンド・留め具156と係合する係合バンド・留め具158、伸張バンド154中あるいは上に、埋め込まれるか、印刷されるか、あるいは、その他の方法で配置されたシリコンおよび(または)プリント回路構成要素162、および、印刷したバイオメトリック情報160を有する。さらに、オプションアンテナ、電子データ記憶装置またはメモリ、バイオメトリックセンサー、化学センサー、光学センサー、柔軟なキーパッド、バッテリーまたは電源および(または)ディスプレイを同様に含むことができる。
【００５６】
図23は、電気光学あるいは光電子部品172を有する、識別バンドのような改良された識別器具の一例実施形態を示す図である。例示識別器具は、伸張バンド166、バンド・留め具168、バンド・留め具168と係合する係合バンド・留め具170、および伸張バンド166の中または上に、埋め込まれるか、印刷されるか、他の方法で配置することのできるシリコンおよび（または）プリント回路構成要素174を有している。回路174は電気光学光学要素172からの信号を制御または処理することができる。例えば、電気光学構成要素172は、外部または内部装置との光通信、シグナリング(例えば発光ダイオードからの光による)、指示(例えば光を放射するか光反射率を変えることによる)、表示(例えばあらかじめ形成されたインジケータあるいはインジケータのマトリックスによる英数字またはイメージのデータの)、検出（例えば光のレベルの）、およびパワー変換(例えば、光電池のような)様々な機能を達成することができる。さらに次の例として、電気光学の構成要素172は、米国特許第5,973,598号に記述されるような重合体有機LEDでありうる発光ダイオード(LED)を含むことができる。電気光学構成要素172が光通信機能を達成する場合、それは光ファイバー、光源および(または)光検出器のような光検知器を含むことができる。所望ならば、電気光学の構成要素172は、液晶ディスプレイ、電気泳動ディスプレイ、ガス放電ディスプレイおよび電気機械ディスプレイを含むことにより、電気光学ディスプレイ装置として機能することができる。所望ならば、電気光学構成要素172は、フォトダイオード、光抵抗器、光電子増倍管および他の入力装置を含むことにより、電気光学式入力装置を含むことができる。電気光学構成要素172はシリコンあるいは他の材料からなることかできるが、いくつかの電気光学構成要素172は有機化合物で部分的にあるいは主に製造することができる。それらは柔軟性がなく、識別器具に付けられる場合がある。あるいは、それらは柔軟であり、識別バンドに付けられる場合もある。電子構成要素、電気光学構成要素および視覚的構成要素は、印刷されるか、あるいは他の方法で、識別器具の伸張構造に配置することができる(例えば図2の中の91、図12の中の10)。
【００５７】
図24は、光センサー198を有する識別バンドのような改良された識別器具のさらに別の一実施形態を示す図である。例示識別器具は伸張バンド188、バンド・留め具190、バンド・留め具190と係合する係合バンド・留め具192、印刷情報194および伸張バンド188中あるいは上に埋め込まれるか、印刷されるか、他の方法で配置することができるシリコンおよび(または)プリント回路構成要素196を有している。回路196は光センサー198を制御することができる。例えば、光センサー198は、外部または内部装置と光通信を行うことができる。光学センサー198は、光検出器のような光検知器、あるいは例えば人の顔、指紋、虹彩あるいは網膜のイメージを捕らえる電荷結合素子を含むことができる。
【００５８】
図25は、柔軟なキーパッド206を有する、識別バンドのような改良された識別器具の一実施形態を示す図である。例示識別器具は、伸張バンド200、バンド・留め具202、バンド・留め具202と係合する係合バンド・留め具204、伸張バンド200中または上に埋め込まれるか、印刷されるか、他の方法で置かれているシリコンおよび(または)プリント回路構成要素208、およびアンテナ210を有する。回路208はキーパッド206をコントロールすることができる。もちろん、キーパッド206は完全なタイプライター・キーボード、部分的なキーボード、単一のキーあるいは複数のカスタムファンクション・キーを含むことができる。キーパッド206は、ユーザが回路208あるいはオプションのデータ記憶装置へデータを入力することを可能にする。キーパッドは記号データあるいはアルファベット数字式データに基づくことができる。
【００５９】
図26Aおよび26Bは、識別バンドのような識別器具の中に、シリコンおよび(または)プリント回路または他の構成要素を埋め込む、一方法を示す図である。頂部ラミネート212および底部ラミネート214を互いに付着することができる。参照数字218によって示されるように、シリコンおよび（または）プリント回路216および他の構成要素を、頂部あるいは底部ラミネート212、214あるいは両方ラミネート上に形成するか、印刷することができる。また、追加の構成要素を頂部と底部ラミネート212、214間に挟むことができる。製造アッセンブリが、図26Bに図示されている。底部ラミネート材214は220で供給される。また、機械224は回路216および他の構成要素は底部ラミネート214に付着する。頂部ラミネート材214は参照数字222で供給され、ラミネーター226によって底部ラミネート218につながれる。切断装置228は連結された材料を個別の識別器具に分ける。もちろん、本明細書に記述された製造工程のうちのとれにおいても、所望ならば、識別器具を製造する当業者に既知の他の製造ステップを使用することができる。
【００６０】
図27Aおよび27Bは、識別バンドのような識別器具中にプリント回路を埋め込む一方法を示す図面である。本体材料は230で供給される。また、機械232は本体材料上に回路および他の構成要素を印刷するか、設置する。機械は、インクジェット印刷装置、ステンシルあるいはインクまたは材料を基板に刷り込む他の方法とすることができる。切断装置234は本体材料を個別の識別器具に分ける。図27Bでは、底部ラミネート材は238で供給される。機械236は、印刷あるいは他の方法で回路または他の構成要素を底部ラミネート上へ設置する。頂部ラミネート材は参照数字240で供給され、ラミネーター242によって底部ラミネートにつながれます。切断装置244は連結された材料を個別の識別器具に分ける。もちろん、所望ならば、識別器具を製造する当業者に既知の他の製造工程が使用されてもよい。
【００６１】
図28は、柔軟なバッテリーまたは電源258を有する、識別バンドのような改良された識別器具の一実施形態を示す図である。この特定例において、識別器具は、頂部ラミネート246および底部ラミネート248から作り出された伸張バンドを有する。バンド・留め具252は、別のバンド・留め具256と係合する。シリコンおよび(または)印刷回路構成要素260を、埋め込まれるか、印刷されるか、あるいは他の方法で、ラミネートバント内または間に、配置することができる。柔軟なバッテリー258は、回路260および電力を要求する識別器具上の他の構成要素にも電力を供給する。他のそのような構成要素としては、例えば、電子データ記憶装置またはメモリ、バイオメトリックセンサー、音響センサー、化学センサー、光センサー、柔軟なキーパッドおよびディスプレイを含むことができる。バッテリー258は薄く柔軟であることが好ましい。バッテリー258は電子回路に主または補助電源を供給することができる。オプション的に、バッテリー258は、バッテリーが周囲光によって充電または再充電されるような光電構成要素を含むことができる。光電セルおよび充電回路は無機または有機材料から形成することができる。バッテリー258は代替可能でも、そうでなくてもよい。バッテリー258は、米国特許第5,973,598番に記述されるように、識別器具基板上に刷り込まれるか、構築された柔軟なポリマー・バッテリを含むことができる。バッテリー258は、識別器具が物体に固定される時に活動されるか、または光信号あるいは電磁信号が受信されることによって活動されることができる。バッテリー258を備えた識別器具は、適切な認可あるいはサービスの開始で活動されることができる。
【００６２】
図29は、「ボタン」スタイルのバッテリー269を有する、識別バンドのような改良された識別器具の別の一実施形態を示す図である。例示識別器具は、伸張バンド261、バンド・留め具262、バンド・留め具262と係合する係合バンド・留め具263、伸張バンド261内あるいは上に、埋め込まれるか、印刷されるか、あるいは他の方法で配置することができるシリコンおよび(または)印刷回路構成要素264、および印刷情報265を有している。バッテリー269はこの例示実施形態におけるボタン・スタイルのバッテリーである。バッテリー269は回路264および電力を要求する識別器具上の他の構成要素に電力を供給する。そのような他の構成要素には、例えば、電子データ記憶装置またはメモリ、バイオメトリックセンサー、音響センサー、化学センサー、光センサー、柔軟なキーパッドおよびディスプレイが含まれることができる。バッテリー269は小さく薄いことが好ましい。バッテリー269は電子回路に主または補助電源を供給することができる。バッテリー269は交換可能である。
【００６３】
本明細書に記述された識別器具の実施形態のいずれも、完全に使い捨とすることも、部分的に使い捨てとすることも、再使用可能とすることもできる。使い捨ての識別器具は、本明細書に記述されたいかなる機能も組込むことができるが、固定手段は再使用可能でなく、識別器具の機能性は使用後に破壊される。識別器具は使い捨てのセクション(例えばバンド)および再使用可能なセクション(例えば回路)を有することができる。識別器具はさらに、耐水、防水、および（または）、その適用分野で使用される或る溶剤または化学薬品に強くすることができる。使い捨ての場合、バンドまたは本体は、紙、プラスチックあるいは他のラミネート材のような安い材料で作られることが好ましい。例えば、図30は、部分的に使い捨てである識別バンドのような、改良された識別器具の一実施形態を示す図面である。部分的に使い捨ての識別バンドの例は、「再使用可能なトランスポンダがある識別装置(Identification Device Having Reusable Transponder)」と題され、PCT US98/04098として公表された米国特許出願シリアル番号09/033,832に記述される。識別器具は、使い捨てのバンド284、回路の非使い捨ての「ハブ」282、センサーおよび他の回路部品を含む。バンド284は、使い捨てでないハブ282へバンドの一端288を挿入し、留め具286によってその取付をより確実にし、そして使い捨てでないのハブ282へバンドの他端290を挿入し、留め具286によってその取付をより確実にすることによって、固定される。必要な時、使い捨てのバンド284は使い捨てでないハブ282から解かれて、廃棄することができる。置換バンドを使い捨てでないハブ282に固定することができる。置換バンドが異なるユーザ向けである場合、使い捨てでないハブ282に格納されたどんなデータも消され更新されることができる。
【００６４】
図31は部分的に使い捨ての改良された識別器具の別の一実施形態を示す図である。識別器具は、使い捨ての柔軟なプラスチックあるいはゴム管292を含む、このゴム管はバンドの役割をし、挿入することができ再使用可能な回路294を収容する。回路部分294は、通信回路およびバイオメトリック回路のようなどんな種類の回路も含むことができる。
【００６５】
図32は、再使用可能な改良された識別器具の一実施形態を示す図である。この例示識別器具は使い捨てでないバンド298を含み、そのバンドは、宝石または時計に似せて装飾することができる。バンド298内または上に、使い捨てでない回路、センサーおよび構成要素296が設置されている。オプションのロック機構300は、着用者に識別器具を固定し、かつ着用者がそのサイズを調節することを可能にするように提供することができる。ロック機構は、着用者、あるいは識別器具によって達成されるセキュリティ機能を提供する責任者のいずれかによって、活動化、または非活動化することができる。ロックは機械式あるいは電気機械式とすることができる。所望ならば、ロック機能またはロック解除機能は、遠隔通信または制御によって行なうことができる。
【００６６】
図33A、33Bおよび33Cは、識別器具のバイオメトリックリーダ/ベリファイヤの一実施形態を示す図である。図33Aを参照すると、バイオメトリックセンサー302はグリップ306にマウントされている。バイオメトリックセンサー302は、バイオメトリック技術の当業者に既知のバイオメトリックセンサーおよび本明細書に記述したもののいずれとすることもできる。インテロゲータ308は、器具に格納されたバイオメトリックデータを得るために識別器具に、例えば無線周波数によって通信する。オプションのインジケータかまたは警報装置304は、バイオメトリックリーダ/ベリファイヤによって得られたバイオメトリックデータが識別器具に格納されたバイオメトリックデータと一致するか否かに関して、例えば、可聴的、可視的、または他の知覚可能指示を提供することができる。図33Bに変わると、グリップ306はグリップのハンドルに組み込まれたバイオメトリックセンサー302およびインジケータ304を有することができる。図33Cはリーダ/ベリファイヤの一実施形態を使用する、識別器具の着用者を示す図である。ユーザはグリップ306を握り、それによって、インテロゲータ308の範囲内での識別器具307の位置を決める。インテロゲータ308は、器具に格納されたバイオメトリックデータおよび(または)他のデータを得るために、例えば無線周波数によって識別器具307と通信する。
【００６７】
図34A、34Bおよび34Cは、バイオメトリック識別器具リーダ/ベリファイヤの一適用を示す図である。図34Aは、特にバイオメトリック回転式入口システムの一実施形態を示す図である。回転式入口システムは、回転腕328と支柱319の間に認可された人員が通過することを可能にする。装置318は、誰かが回転式入口にいるか、または回転腕328の下を行こうとしているかを検知するために使用されるビーム322を放射することができる。装置318は、識別器具のリーダ/ベリファイヤを含むことができる。識別器具を着用している人が回転腕328に接近する場合、ビーム322は人を検知し、識別器具から、バイオメトリックデータのような識別する情報を読む。識別情報が着用者に通過に対して特権か権威を与える場合、着用者が通過することを可能にするように、回転腕328は邪魔にならない所に回転することができる。しかしながら、着用者が通過の特権を欠けば、オプションの可視の警報装置320および(または)警報音システム332は、無許可の人がいることを示すことができる。
【００６８】
図34Bは、図34Aで使用することができる代替のバイオメトリック回転式入口の詳細図である。回転腕は、バイオメトリックセンサー312、オプションで組込みバイオメトリックセンサーを有するグリップ314、およびインテロゲータ316を含む。回転腕は、回転の軸330を有している。バイオメトリックセンサー312は、バイオメトリック技術の当業者に既知のバイオメトリックセンサーまたは本明細書に記述したもののいずれかとすることができる。インテロゲータ316は、器具に格納された識別バイオメトリックデータを得るために識別器具に例えば無線周波数によって通信する。オプションのインジケータか警報装置は、バイオメトリックセンサー312によって得られたバイオメトリックデータが識別器具から得られた、格納されていたバイオメトリックデータと一致するか否かに関して、可聴、可視、または他の知覚可能な指示を提供することができる。
【００６９】
図34Cは、バイオメトリックゲートの別の一実施形態を示す図である。回転式入口326は、人々が安全エリアあるいは遊園地のような制限区域に入るのを妨げる。回転式入口は曲がったインテロゲータ324を含む、それは代替的に人の識別器具を読むために任意の適切な形を有するとこができる。図34Cに図示された例において、アクセスを獲得したい人は、インテロゲータ324の近辺に、識別リストバンドのような彼の識別器具を挿入する。インテロゲータ324は、器具に格納された識別バイオメトリックデータを得るために識別器具に例えば無線周波数によって通信する。回転式入口は、人のバイオメトリックデータ(例えば指紋、虹彩、網膜走査)を得るバイオメトリックセンサー325を含むことができる。インテロゲータ324は、バイオメトリックセンサー325からの人のバイオメトリックデータを識別器具から得られたバイオメトリックデータと比較する。オプションのインジケータか警報装置は、バイオメトリックデータが一致するか不一致であるかに関して、可聴、可視、または他の知覚可能な指示を提供することができる。
【００７０】
図35は、電子不正開放検知を有する識別バンドのような改良された固定識別器具の一実施形態を示す図である。例示識別器具は、伸張本体342、複数の導電性接触子344からなる第１のパッチ、複数の導電性接触子346からなる第２パッチ、および固定装置347を有している。(識別器具を着用者に固定するために)固定装置347が閉まる時に、物理的および電気的な接触が接触子344と346の間で形成される。接触子344、346の組は、識別器具が装置347によって固定される時、閉じた電気接触子により得られるパターンが、ランダムまたは予測不能なもとなることができるようなパターンに形成することができる。埋め込まれるか、印刷されるか、他の方法で、バンド342内または上に設置される回路348は、電気的接触が開いているか閉じているかをセニターする。閉じた電気的接触が開かれる場合、回路348は、識別器具が不正開放されたか取り外されたかを決定する。オプション的に、識別器具は、識別器具の状態を示すためのインジケータを有することができる。
【００７１】
図36は、導電性、非導電性の接着剤を使用する電子不正開放検知を有する、識別バンドのような改良された固定識別器具の一実施形態を示す図である。例示識別器具は、伸張本体358、複数の導電性接触子360の第1のパッチ、およびバンド358が閉まる時に閉じた電気回路を形成するように接触子360の第1のパッチと係合する複数の接触子362の第2のパッチを含む。バンド358内または上に埋め込まれるか、印刷されるか、堆積されるか、あるいは他の方法で配置される回路364は、電気回路が開いているか閉じているかをモニターする。粘着性のゲル366がバンド358の両端を閉じるか固定するために使用することができる。接着剤366は導電性または非導電性とすることができる。図35の実施形態で、接触子の組はランダムか予測不能のパターンで閉じることができる。
【００７２】
図37は、識別バンドのような改良された固定識別器具を使用する航空警備システム500の一実施形態を示す図である。ユーザまたは乗客の502は、チケット・カウンターのような認可された人か代理業者から、リストバンドのような識別器具504を得る。乗客502が、チケット・カウンターかカーブサイドにあるチェックイン506で手荷物を預ける時、識別バンド(「バッグ・バンド」)508が手荷物に設置される。バッグ・バンド508は手荷物とその所有者を識別するが、乗客502が手荷物を引き取りに手荷物受取所510へ行く場合、バッグ・バンド508と乗客の識別器具504中の対応するデータが一致しなければならない。一致するかどうか決める1つの方法はバンド・リーダ512を使用することである。バンド・リーダ512はバック・バンド５０８および乗客の識別器具504の両方を読み、一致するかどうかを決め、オプション的に、不正開放の証拠があるか否かを決める。乗客502が航空会社ゲートターミナル514へ行く時、乗客502の同一性を確認するもう一人のバンド・リーダをオプション的に設けることができる。同様に、乗客502が航空機516に乗る間際に、もう一つのオプションのバンド・リーダが乗客502の同一性を再び確認することができる。空港、ターミナル、ゲート、レストラン、手荷物エリアおよび洗面所の至る所で、それらの近辺でどんな識別器具504も発見し読取るセンサー518を設けることができる。中央の空港システム520に、センサー518およびバンド・リーダ512を結合させ、システム520が各乗客の行方を追跡することができる。
【００７３】
図38は、識別バンドのような改良された固定識別器具を使用する航空警備システム500の別の一実施形態を示す図である。図38は、航空警備システム500に基づいた一チェックイン、出発および到着プロセスを図示する。図38の左側は、チェックインと出発前の、乗客502および手荷物505を図示する。中間区分はチェックインと出発プロセスを示す。図38の右側は到着プロセスを示す。再び、乗客502は、チケット・カウンターかカーブサイドにあるチェックインで、認可された人か代理業者から、リストバンドのような識別器具504を得る。チケット・カウンターかカーブサイドにあるチェック・インで手荷物505を乗客502が預ける時、バッグ・バンド機械507は、手荷物505のためのバッグ・バンドおよび乗客502のための識別バンド５４０を生成する。代替的に、バッグ・バンド機械507はバッグ・バンド・リーダとすることができる。前述と同様に、バッグ・バンド508は手荷物とその所有者を識別する。手荷物ルーティング・システム522は、手荷物、および目的地への手荷物を送るのに必要な他の情報を識別するためにバッグ・バンドを使用する。オプションのバンド・リーダ512およびセンサー518を、ゲート514に、飛行機516への入口または出口、手荷物引取所510および空港設備の他のエリアに設置することができる。システム520が手荷物と同様に各乗客の行方を追跡することができるように、中央の空港システム520は、センサー518およびバンド・リーダ512に接続することができる。所望ならば、情報が他の空港と共有されるように、国際空港コンピューター・ネットワーク524に、中央の空港システム520を接続することができる。共有される情報は、既知のテロリスト、指紋などに関する国際的なデータベースと同様に空港にいる乗客に関する空港の情報を含むことができる。したがって、既知のテロリストのグループが同様の時に様々な空港へ入ったことを空港が検知する場合、この事実は、FBIのような管轄官庁に利用可能になることができる。別の例として、空港が空港内の数人の既知のテロリストの存在を発見する場合、空港はセキュリティ・モードに入り、フライトを遅らせ、関係当局に警告を出し、テロリストを追跡することができる。到着に際して、乗客502は飛行機から出て、ゲート514に入る。再び、乗客502が手荷物引取所510へ歩く時に、バンド・リーダ512あるいはセンサー518は、乗客502の同一性を検知し確認することができる。乗客502が彼の手荷物505を引き取りに手荷物引取所510へ行く場合、バッグ・バンド508および乗客の識別器具504は一致しなければならない。バンド・リーダ512を、バッグ・バンド508および識別バンド504を読むために使用することができる。代替的に、バッグ・バンド機械507がバッグ・バンドを読取るように適応される場合、バッグ・バンド・リーダはバッグ・バンド508を読む。また、もう一人のバンド・リーダは識別バンド504を読む。識別バンド504およびバッグ・バンド508は旅行イベントの完了時に、活動を停止することができる。
【００７４】
前述の識別器具の実施形態のいずれも、移民当局に使用されることができる。遠隔読取可能な識別器具およびデータキャリアのセキュリティーは、識別器具は、認可された人または代理業者によってのみ人に固定することができ、一度識別される人に固定されると、認可された組織または代理業者以外は外すことができずまたそのデータを使用することができないということを必要とする、状況がある。従って、改良された識別器具は、世界の至る所で米国大使館あるいは対応する機関によって供給することができ、識別器具は、正当な持ち手の識別および(または)バイオメトリック特徴でコード化または暗号化することができる。入国管理局は通関手続地であるいはチェック・ポイントで識別器具を読むことがで、識別器具から検索された情報を、データベースに格納された情報、および現在の位置で得られたバイオメトリック情報と比較する。
【００７５】
分離可能であり、ビザ・シールの近くのパスポート中の場所を含む書類に添付して使用することかでき、且つ派遣労働者、学生、業務用ビザおよび観光客のような米国への来訪者に関するファイルを更新、開閉するために、出発の際に、読取および除去することができる、単一または複数の、分離可能なRFID/バイオメトリックラベルの形態とすることができる。法的に認可された居住者に発行された移民グリーン・カードに関して、米国への入国または入国を許可する時と、法的な外国人へ永住カードを郵送する時の間に、識別カードを、持ち手を識別する、一時的なRFID/バイオメトリック技術ベースのラベルあるいはカードの形にすることができる。
【００７６】
識別器具を更に、国の至る所で運転免許の申込者を識別するために使用できる。運転免許は、適切な市民権あるいは合法居住者ステータスのいずれかであることを証明する適切で正当な識別を持っている申込者に限定される。例外は、一時滞在業務用ビザ、幾つかの一時就労ビザを有する人、および恐らく学生用ビザの下の人である。バイオメトリックスを備えた識別器具を、運転免許を申し込む人の身元および権利を証明するのに使用することができる。
【００７７】
前述の実施形態いずれにおいても、識別器具は、下に記述される特徴のいずれかのような、オプションの構造および特徴を含むことができる。例えば、通信回路は、任意の形態および周波数の通信機能を達成することができ、トランスポンダのように受動的に、および(または)複数の通信を開始することにより、能動的に通信を行うことができ、そして、低いあるいは高周波を使用することができる。識別器具は、低周波、高周波、UHF、SHFあるいはマイクロ波ラジオ・バンドで作動することができる。
【００７８】
識別器具は、商品に付けることができ、例えば、商品の窃盗を防ぐために、識別器具中の回路がオプションの電子商品監視(EAS)機能を達成する。EAS機能は識別コードを送信しないが、リーダは、識別器具がリーダに近いかどうかを、例えば、小売店か建物の入り口か出口で、検知することができる。
【００７９】
識別器具は、例えば、小さなエリア(例えば部屋または建物)あるいは大きなエリア(例えば、全国的か世界的)に渡って、別の装置にその位置を供給することができる。そのような位置情報は、1メーター未満の不確実性から1キロメーター以上の不確実性のように変動する精度も提供することができる。位置機能は、(全地球測位システムあるいはローカルな測位システムようなものからの)位置機能によって受け取られた信号を識別器具によって導かれる計算で処理することにより達成することができ、また、位置は、識別バンドから受け取られた信号強度または受信タイミングに応答して、RF受信機のマトリックスのようなものによって、識別バンドの外部に引き出すことができる。
【００８０】
オプション的に、識別器具は無線通信システムまたはネットワークからコマンドを受け取ることができる。無線通信システムは、コマンドを、単一の識別器具へ、範囲内のすべての識別器具へ、あるいは識別器具の部分集合へに送信することができる。コマンドはどんな種類のコマンドとすることができる。コマンドは、識別器具のどんな操作の特性または機能も変更でき、また識別器具に任意の集合のインストラクションを実行させることができる。例えば、コマンドは、ディスプレイ、光、可聴信号発生器、バイブレータおよびその他同種のもののような、改良された識別器具における、任意の人が知覚可能なインジケータを変更することができる。情報が受信される周波数且つ／または識別器具と外部通信システムまたはネットワークとの間で情報が送信される周波数を、コマンドが、変更することができる。送信または受信周波数の変更によって、識別器具が外部装置と無線で通信している場合に、識別器具が、そのエリア内の他の識別器具と干渉することを減少する。更に別の実施形態では、コマンドは、データを受信および（または）送信する識別器具の能力、識別器具内のデータの有効性、識別器具と通信するためのパスワード、データ暗号化のレベルまたはタイプ、識別回路の有効期限（例えば、期限終了後、識別器具は無効であると考えられる）、識別回路が異なる形態の通信ネットワークと通信できるようにする通信プロトコルの特徴(例えば、通信、エラー修正フォーマット、通信ヘッダー・フォーマット)、事実上他の操作特性あるいは機能を変更することができる。オプションとして、コマンドは、識別器具の着用者が以前に持っていなかった改良された識別器具に特権を与えることができる。例えば、無線通信ネットワークは、改良された識別器具の装着者が、制限区域に入ることを許可することができる。この許可は、時間反応的および時間制限的である。（例えば、この許可は或る時に始まり、或る時に終了する。）
【００８１】
上述の明細書において、発明は特定の実施形態に関して記述された。しかしながら、様々な修正および変更は発明のより広い精神および範囲から外れずに、行なわれることができることは明白でしょう。例えば、ここに記述されたプロセス・フローチャート中で示されるプロセス・アクションの特定の順番および組合せは、単に説明のためだけであり、また、本発明は、異なるまたは追加のプロセス・アクション、あるいはプロセス・アクションの異なる組合せまたは順番を使用して、達成することができることを読者は理解すべきである。別の例では、一実施形態の各特徴は、他の実施形態中で示される他の特徴とを混合および一致することができる。識別器具の当業者に既知の特徴とプロセスを、所望の場合に、同様に組込むことができる。さらに明らかに、所望の場合は、特徴を加え、引くことができる。従って、本発明は、添付の請求項およびそれらの均等物を考慮する以外制限すべきではない。
【図面の簡単な説明】
【００８２】
【図１】先行技術のRFIDリストバンドあるいはブレスレットの例を図示する。
【図２】改良された固定識別バンドの実施形態を示す図。
【図３】改良された固定識別バンドの別の実施形態を示す図。
【図４】改良された固定識別バンドの別の実施形態を示す図。
【図５】不正開放により放出されるインクタンクを含む改良された固定識別バンドの更に別の実施形態を示す図。
【図６】付けられた時に、可視および電子的形態の両方で識別パターンを作成する改良された固定識別バンドの別の実施形態を示す図。
【図７】バイオメトリック情報を格納する改良された識別バンドの実施形態を示す図。
【図８】バイオメトリック情報および英数字情報を格納する改良された識別バンドの別の実施形態を示す図。
【図９】バイオメトリック情報および英数字情報を格納し、バンドが付けられる時に活動され、バンドが解かれるか、裂かれるか、切断されるか、あるいは過度に伸ばされる時、活動停止される回路機能を有する改良された識別バンドの実施形態を示す図。
【図１０】乗客のチケット発行および搭乗手続を行うための改良された識別バンドを使用する実施形態を示す図。
【図１１】旅客手荷物のタグ付および引取のための改良された識別バンド使用する実施形態を示す図。
【図１２】印刷されたバイオメトリックデータを有する識別バンドのような改良された識別器具の実施形態を示す図。
【図１３】印刷されたバイオメトリックデータを有する識別バンドのような改良された識別器具の実施形態を示す図。
【図１４】バイオメトリックセンサーを有する識別バンドのような改良された識別器具の実施形態を示す図。
【図１５】バイオメトリックセンサーおよび無線通信回路を有する識別バンドのような改良された識別器具の別の実施形態を示す図。
【図１６】バイオメトリックセンサー、RFID回路のような無線通信回路、および電子メモリかデータ記憶装置を有する識別バンドのような改良された識別器具の実施形態を示す図。
【図１７】バイオメトリックセンサーおよびディスプレイを有する識別バンドのような改良された識別器具の別の実施形態を示す図。
【図１８】光電池を有する識別バンドのような改良された識別器具の実施形態の図。
【図１９】埋め込まれた回路およびマイクロストリップアンテナかパッチアンテナを有する識別バンドのような改良された識別器具の実施形態を示す図。
【図２０】信号処理と計算を行ない、電子データ記憶装置あるいはメモリを有する識別バンドのような改良された識別器具の実施形態を示す図。
【図２１】1つ以上の化学センサーを有する識別バンドのような改良された識別器具の実施形態を示す図。
【図２２】音響センサーを有する識別バンドのような改良された識別器具の実施形態を示す図。
【図２３】電気光学構成要素を有する識別バンドのような改良された識別器具の実施形態を示す図。
【図２４】光センサーを有する識別バンドのような改良された識別器具の実施形態を示す図。
【図２５】柔軟なキーパッドを有する識別バンドのような改良された識別器具の実施形態を示す図。
【図２６】図26Aおよび26Bは、識別バンドのような識別器具の中に、シリコンおよび(または)印刷回路または他の構成要素を埋め込む方法を示す図。
【図２７】図27Aおよび27Bは、識別バンドのような識別器具中の、プリント回路を組み込む方法を示す図。
【図２８】柔軟なバッテリーか電源を有する識別バンドのような改良された識別器具の実施形態を示す図。
【図２９】「ボタン」形態のバッテリーを有する識別バンドのような改良された識別器具の別の実施形態を示す図。
【図３０】部分的に使い捨てできる識別バンドのような改良された識別器具の実施形態を示す図。
【図３１】部分的に使い捨てできる識別バンドのような改良された識別器具の別の実施形態を示す図。
【図３２】再使用可能な改良された識別器具の実施形態を示す図。
【図３３】図33A、33Bおよび33Cは、識別器具のバイオメトリックリーダ/ベリファイヤの実施形態を示す図。
【図３４】図34A、34Bおよび34Cは、バイオメトリック識別器具リーダ/ベリファイヤの実施形態を示す図。
【図３５】電子不正開放検知を有する識別バンドのような改良された固定識別器具の実施形態を示す図。
【図３６】導電性または非導電性の接着剤を使用する電子不正開放検知を有する識別バンドのような改良された固定識別器具の実施形態を示す図。
【図３７】識別バンドのような改良された固定識別器具を使用する航空警備システムの実施形態を示す図。
【図３８】識別バンドのような改良された固定識別器具を使用する航空警備システムの別の実施形態を示す図。
【図１】
2005521162.tif 000003
【図２】
2005521162.tif 000004
【図３】
2005521162.tif 000005
【図４】
2005521162.tif 000006
【図５】
2005521162.tif 000007
【図６】
2005521162.tif 000008
【図７】
2005521162.tif 000009
【図８】
2005521162.tif 000010
【図９】
2005521162.tif 000011
【図１０】
2005521162.tif 000012
【図１１】
2005521162.tif 000013
【図１２】
2005521162.tif 000014
【図１３】
2005521162.tif 000015
【図１４】
2005521162.tif 000016
【図１５】
2005521162.tif 000017
【図１６】
2005521162.tif 000018
【図１７】
2005521162.tif 000019
【図１８】
2005521162.tif 000020
【図１９】
2005521162.tif 000021
【図２０】
2005521162.tif 000022
【図２１】
2005521162.tif 000023
【図２２】
2005521162.tif 000024
【図２３】
2005521162.tif 000025
【図２４】
2005521162.tif 000026
【図２５】
2005521162.tif 000027
【図２６Ａ】
2005521162.tif 000028
【図２６Ｂ】
2005521162.tif 000029
【図２７Ａ】
2005521162.tif 000030
【図２７Ｂ】
2005521162.tif 000031
【図２８】
2005521162.tif 000032
【図２９】
2005521162.tif 000033
【図３０】
2005521162.tif 000034
【図３１】
2005521162.tif 000035
【図３２】
2005521162.tif 000036
【図３３Ａ】
2005521162.tif 000037
【図３３Ｂ】
2005521162.tif 000038
【図３３Ｃ】
2005521162.tif 000039
【図３４Ａ】
2005521162.tif 000040
【図３４Ｂ】
2005521162.tif 000041
【図３４Ｃ】
2005521162.tif 000042
【図３５】
2005521162.tif 000043
【図３６】
2005521162.tif 000044
【図３７】
2005521162.tif 000045
【図３８】
2005521162.tif 000046
【国際調査報告】
2005521162.tif 000047